(57)【要約】  第１のクワッドプレクサは、無線周波数トランシーバから第１の周波数帯域の送信信号を受けて、第１のアンテナへ出力し、第１のアンテナからの信号を受けて、第３および第４の周波数帯域の受信信号を無線周波数トランシーバへ出力する。第２のクワッドプレクサは、無線周波数トランシーバから第２の周波数帯域の送信信号を受けて、第２のアンテナへ出力し、第２のアンテナからの信号を受けて、第３および第４の周波数帯域の受信信号を無線周波数トランシーバへ出力する。無線周波数トランシーバは、クワッドプレクサからの信号をベースバンド信号に変換する。ベースバンドＩＣが、同一の周波数帯域の信号から生成されるベースバンド信号に対してＭＩＭＯ受信処理を実行する。
2016170950.tif 000002
【特許請求の範囲】
【請求項１】
第１の周波数帯域と第２の周波数帯域を用いた送信と、第３の周波数帯域と第４の周波数帯域を用いた受信とが可能な無線端末であって、
第１のアンテナと、
第２のアンテナと、
２系統の上りのベースバンド信号を周波数変換して前記第１の周波数帯域の送信信号と前記第２の周波数帯域の送信信号を出力するように構成された無線周波数トランシーバと、
前記無線周波数トランシーバから受けた下りの信号および前記無線周波数トランシーバへ出力する上りの信号に対してベースバンド処理を実行するベースバンド処理部と、
前記無線周波数トランシーバから前記第１の周波数帯域の送信信号を受けて、前記第１のアンテナへ出力するように構成されるとともに、前記第１のアンテナからの信号を受けて、前記第３の周波数帯域の受信信号と前記第４の周波数帯域の受信信号とを前記無線周波数トランシーバへ出力するように構成された第１のマルチプレクサと、
前記無線周波数トランシーバから前記第２の周波数帯域の送信信号を受けて、前記第２のアンテナへ出力するように構成されるとともに、前記第２のアンテナからの信号を受けて、前記第３の周波数帯域の受信信号と前記第４の周波数帯域の受信信号とを前記無線周波数トランシーバへ出力するように構成された第２のマルチプレクサとを備え、
前記無線周波数トランシーバは、前記第１のマルチプレクサから出力される前記第３の周波数帯域の受信信号と、前記第２のマルチプレクサから出力される前記第３の周波数帯域の受信信号とをそれぞれベースバンド信号に周波数変換して第１の信号および第２の信号を生成し、前記第１のマルチプレクサから出力される前記第４の周波数帯域の受信信号と、前記第２のマルチプレクサから出力される前記第４の周波数帯域の受信信号とをそれぞれベースバンド信号に周波数変換して第３の信号および第４の信号を生成するように構成され、
前記ベースバンド処理部は、前記第１の信号と前記第２の信号とをＭＩＭＯ受信処理し、前記第３の信号と前記第４の信号とをＭＩＭＯ受信処理して、２系統の下りのベースバンド信号を得るように構成される、無線端末。
【請求項２】
前記ベースバンド処理部は、送信データを分割して前記２系統の上りのベースバンド信号を生成して、前記無線周波数トランシーバへ出力するように構成され、前記２系統の下りのベースバンド信号を統合するように構成される、請求項１記載の無線端末。
【請求項３】
前記第１のマルチプレクサは、前記第１のアンテナと接続される第１の端子と、
前記第１の周波数帯域の送信信号を受ける第２の端子と、
前記第３の周波数帯域の受信信号を出力する第３の端子と、
終端抵抗で終端される第４の端子と、
前記第４の周波数帯域の受信信号を出力する第５の端子と、
前記第１の周波数帯域の通過特性を有し、前記第１の端子と、前記第２の端子の間に配置された第１の送信フィルタと、
前記第３の周波数帯域の通過特性を有し、前記第１の端子と前記第３の端子との間に配置された第１の受信フィルタと、
前記第１の端子と前記第４の端子との間に配置された第２の送信フィルタと、
前記第４の周波数帯域の通過特性を有し、前記第１の端子と前記第５の端子との間に配置された第２の受信フィルタとを含む、請求項１または２記載の無線端末。
【請求項４】
前記第２のマルチプレクサは、前記第２のアンテナと接続される第１の端子と、
終端抵抗で終端される第２の端子と、
前記第３の周波数帯域の受信信号を出力する第３の端子と、
前記第２の周波数帯域の送信信号を受ける第４の端子と、
前記第４の周波数帯域の受信信号を出力する第５の端子と、
前記第１の端子と前記第２の端子との間に配置された第１の送信フィルタと、
前記第３の周波数帯域の通過特性を有し、前記第１の端子と前記第３の端子との間に配置された第１の受信フィルタと、
前記第２の周波数帯域の通過特性を有し、前記第１の端子と、前記第４の端子の間に配置された第２の送信フィルタと、
前記第４の周波数帯域の通過特性を有し、前記第１の端子と前記第５の端子との間に配置された第２の受信フィルタとを含む、請求項１〜３のいずれか１項に記載の無線端末。
【請求項５】
前記無線周波数トランシーバは、
第１のベースバンド信号を周波数変換して前記１の周波数帯域の送信信号を出力するように構成されるとともに、前記第１のマルチプレクサから出力される前記第３の周波数帯域の受信信号と、前記第２のマルチプレクサから出力される前記第３の周波数帯域の受信信号とをそれぞれベースバンド信号に周波数変換するように構成された第１のＲＦトランシーバＩＣと、
第２のベースバンド信号を周波数変換して前記２の周波数帯域の送信信号を出力するように構成されるとともに、前記第１のマルチプレクサから出力される前記第４の周波数帯域の受信信号と、前記第２のマルチプレクサから出力される前記第４の周波数帯域の受信信号とをそれぞれベースバンド信号に周波数変換するように構成された第２のＲＦトランシーバＩＣとを含む、請求項１〜４のいずれか１項に記載の無線端末。
【請求項６】
前記第１の周波数帯域および前記第３の周波数帯域は、ＰＣＳ（Personal  Communications  Service）１９００であり、
前記第２の周波数帯域および前記第４の周波数帯域は、ＡＷＳ（Advanced  Wireless  Service）１７００である、請求項１〜５のいずれか１項に記載の無線端末。
【請求項７】
前記第１の周波数帯域および前記第３の周波数帯域は、ＩＭＴ（International  Mobile  Telecommunication）２１００であり、
前記第２の周波数帯域および前記第４の周波数帯域は、ＤＣＳ（Digital  Cellular  Service）１８００である、請求項１〜５のいずれか１項に記載の無線端末。
【請求項８】
前記無線端末は、前記第１の周波数帯域と前記第２の周波数帯域と第５の周波数帯域を用いた送信と、前記第３の周波数帯域と前記第４の周波数帯域と第６の周波数帯域を用いた受信が可能であり、
前記無線周波数トランシーバは、さらに、別の系統のベースバンド信号を周波数変換して前記第５の周波数帯域の送信信号を出力するように構成され、
第３のアンテナと、
第４のアンテナと、
前記無線周波数トランシーバから前記第５の周波数帯域の送信信号を受けて、前記第３のアンテナへ出力するように構成されるとともに、前記第３のアンテナからの信号を受けて、前記第６の周波数帯域の受信信号を前記無線周波数トランシーバへ出力するように構成された第３のマルチプレクサと、
前記第４のアンテナからの信号を受けて、前記第６の周波数帯域の受信信号を前記無線周波数トランシーバへ出力するように構成されたフィルタとをさらに備え、
前記無線周波数トランシーバは、さらに、前記第３のマルチプレクサから出力される前記第６の周波数帯域の受信信号と、前記フィルタから出力される前記第６の周波数帯域の受信信号とをそれぞれベースバンド信号に周波数変換して第５の信号および第６の信号を生成するように構成され、
前記ベースバンド処理部は、さらに、前記第５の信号と前記第６の信号とをＭＩＭＯ受信処理して、さらに１系統の下りのベースバンド信号を得るように構成される、請求項１〜７のいずれか１項に記載の無線端末。
【請求項９】
前記第１の周波数帯域および前記第３の周波数帯域は、ＰＣＳ（Personal  Communications  Service）１９００であり、
前記第２の周波数帯域および前記第４の周波数帯域は、ＡＷＳ（Advanced  Wireless  Service）１７００である、
前記第５の周波数帯域および前記第６の周波数帯域は、ＳＭＨ７００である、請求項８記載の無線端末。
【請求項１０】
第１の周波数帯域と第２の周波数帯域を用いた送信と、第３の周波数帯域と第４の周波数帯域を用いた受信とが可能な無線端末の無線通信方法であって、前記無線端末は、第１のアンテナと、第２のアンテナと、無線周波数トランシーバと、第１のマルチプレクサと、第２のマルチプレクサと、ベースバンド処理部とを備え、
前記無線通信方法は、
前記無線周波数トランシーバが、２系統の上りのベースバンド信号を周波数変換して前記第１の周波数帯域の送信信号と前記第２の周波数帯域の送信信号を出力するようステップと、
前記第１のマルチプレクサが、前記無線周波数トランシーバから前記第１の周波数帯域の送信信号を受けて、前記第１のアンテナへ出力するとともに、前記第１のアンテナからの信号を受けて、前記第３の周波数帯域の受信信号と前記第４の周波数帯域の受信信号とを前記無線周波数トランシーバへ出力し、前記第２のマルチプレクサが、前記無線周波数トランシーバから前記第２の周波数帯域の送信信号を受けて、前記第２のアンテナへ出力するとともに、前記第２のアンテナからの信号を受けて、前記第３の周波数帯域の受信信号と前記第４の周波数帯域の受信信号とを前記無線周波数トランシーバへ出力するステップと、
前記無線周波数トランシーバが、前記第１のマルチプレクサから出力される前記第３の周波数帯域の受信信号と、前記第２のマルチプレクサから出力される前記第３の周波数帯域の受信信号とをそれぞれベースバンド信号に周波数変換して第１および第２の信号を生成し、前記第１のマルチプレクサから出力される前記第４の周波数帯域の受信信号と、前記第２のマルチプレクサから出力される前記第４の周波数帯域の受信信号とをそれぞれベースバンド信号に周波数変換して第３および第４の信号を生成するステップと、
前記ベースバンド処理部が、前記第１の信号と前記第２の信号とをＭＩＭＯ受信処理し、前記第３の信号と前記第４の信号とをＭＩＭＯ受信処理して、２系統の下りのベースバンド信号を得るステップとを備えた、無線通信方法。
【発明の詳細な説明】
【技術分野】
【０００１】
本開示は、無線端末および無線通信方法に関する。
【背景技術】
【０００２】
従来から、キャリアグリゲーション機能を備えた無線端末が知られている。たとえば、特許文献１には、上りリンク周波数帯と下りリンク周波数帯が互いに異なる２つの無線通信ネットワークに対応可能であり、且つ、複数の上りリンク変調送信信号を同時に送信し、複数の下り変調受信信号を同時に受信することが可能な無線端末が開示されている。
【先行技術文献】
【特許文献】
【０００３】
【特許文献１】特開２０１１−１１９９８１号公報
【発明の概要】
【発明が解決しようとする課題】
【０００４】
しかしながら、特許文献１には、キャリアグリゲーション機能とＭＩＭＯ（Multiple-Input  and  Multiple-Output）受信機能の両方を備えた無線端末、またはＬＴＥ（Long  Term  Evolution）方式とＣＤＭＡ（Code  Division  Multiple  Access）方式の同時通信機能およびＭＩＭＯ受信機能の両方を備えた無線端末が開示されていない。【０００５】
それゆえに、本開示の目的は、キャリアアグリゲーション機能とＭＩＭＯ受信機能の両方、またはＬＴＥ方式とＣＤＭＡ方式の同時通信機能とＭＩＭＯ受信機能の両方を実行することができる無線端末および無線通信方法を提供することである。
【課題を解決するための手段】
【０００６】
一実施形態の無線端末は、第１の周波数帯域と第２の周波数帯域を用いた送信と、第３の周波数帯域と第４の周波数帯域を用いた受信とが可能な無線端末である。無線端末は、第１のアンテナと、第２のアンテナと、無線周波数トランシーバと、ベースバンド処理部と、第１のマルチプレクサと、第２のマルチプレクサとを備える。無線周波数トランシーバは、２系統の上りのベースバンド信号を周波数変換して第１の周波数帯域の送信信号と第２の周波数帯域の送信信号を出力するように構成される。ベースバンド処理部は、無線周波数トランシーバから受けた下りの信号および無線周波数トランシーバへ出力する上りの信号に対してベースバンド処理を実行する。第１のマルチプレクサは、無線周波数トランシーバから第１の周波数帯域の送信信号を受けて、第１のアンテナへ出力するように構成されるとともに、第１のアンテナからの信号を受けて、第３の周波数帯域の受信信号と第４の周波数帯域の受信信号とを無線周波数トランシーバへ出力するように構成される。第２のマルチプレクサは、無線周波数トランシーバから第２の周波数帯域の送信信号を受けて、第２のアンテナへ出力するように構成されるとともに、第２のアンテナからの信号を受けて、第３の周波数帯域の受信信号と第４の周波数帯域の受信信号とを無線周波数トランシーバへ出力するように構成される。無線周波数トランシーバは、第１のマルチプレクサから出力される第３の周波数帯域の受信信号と、第２のマルチプレクサから出力される第３の周波数帯域の受信信号とをそれぞれベースバンド信号に周波数変換して第１の信号および第２の信号を生成するように構成される。無線周波数トランシーバは、第１のマルチプレクサから出力される第４の周波数帯域の受信信号と、第２のマルチプレクサから出力される第４の周波数帯域の受信信号とをそれぞれベースバンド信号に周波数変換して第３の信号および第４の信号を生成するように構成される。ベースバンド処理部は、第１の信号と第２の信号とをＭＩＭＯ受信処理し、第３の信号と第４の信号とをＭＩＭＯ受信処理して、２系統の下りのベースバンド信号を得るように構成される。
【発明の効果】
【０００７】
一実施形態の無線端末によれば、キャリアアグリゲーション機能とＭＩＭＯ受信機能の両方を実行することができる。
【図面の簡単な説明】
【０００８】
【図１】実施の形態の無線端末の構成を表わす図である。
【図２】第１の実施形態の無線端末において送受信される無線信号の周波数帯域を表わす図である。
【図３】第１の実施形態のアンテナ部および無線処理部の構成を表わす図である。
【図４】第１のＲＦトランシーバＩＣ（Integrated  Circuit）および第２のＲＦトランシーバＩＣの構成を表わす図である。
【図５】Ｂ２−デュプレクサの構成を表わす図である。
【図６】Ｂ４−デュプレクサの構成を表わす図である。
【図７】第２の実施形態のアンテナ部および無線処理部の構成を表わす図である。
【図８】第３の実施形態のアンテナ部および無線処理部の構成を表わす図である。
【図９】クワッドプレクサの構成を表わす図である。
【図１０】第４の実施形態のアンテナ部および無線処理部の構成を表わす図である。
【図１１】第１のクワッドプレクサの構成を表わす図である。
【図１２】第２のクワッドプレクサの構成を表わす図である。
【図１３】第５の実施形態の無線端末において送受信される無線信号の周波数帯域を表わす図である。
【図１４】第５の実施形態のアンテナ部および無線処理部の構成を表わす図である。
【図１５】第６の実施形態の無線端末において送受信される無線信号の周波数帯域を表わす図である。
【図１６】第６の実施形態のアンテナ部および無線処理部の構成を表わす図である。
【図１７】第７の実施形態の無線端末において送受信される無線信号の周波数帯域を表わす図である。
【図１８】第７の実施形態のアンテナ部および無線処理部の構成を表わす図である。
【発明を実施するための形態】
【０００９】
以下、実施の形態について図面を用いて説明する。
本開示の無線端末は、ＬＴＥに対応したものを想定する。本開示の無線端末は、送信時には、キャリアアグリゲーション技術を用いてデータを送信することができる。本開示の無線端末は、受信時には、キャリアアグリゲーション技術とＭＩＭＯ受信技術を用いてデータを受信することができる。
【００１０】
無線端末は、キャリアアグリゲーション送信では、アップリンクデータを複数の異なる周波数帯域に分割して配置して、複数の異なる周波数帯域の信号を同時に送信することができる。無線端末は、キャリアアグリゲーション受信では、複数の異なる周波数帯域の信号を同時に受信し、受信した信号を統合して、ダウンリンクデータを得る。無線端末は、ＭＩＭＯ受信では、無線基地局の複数のアンテナから送信される同一の周波数帯域（帯域Ａとする）の空間多重化または時空間符号化された信号を複数のアンテナで受信し、受信した信号を分離または復号化して、帯域Ａのデータを得る。
【００１１】
［第１の実施形態］
図１は、実施の形態の無線端末１の構成を表わす図である。
【００１２】
図１を参照して、無線端末１は、アンテナ部２と、無線処理部３と、制御部４４０と、スピーカ５０と、マイク５２と、ディスプレイ５４と、タッチパネル５６と、カメラ５８とを備える。
【００１３】
無線処理部３は、アンテナ部２を通じて無線基地局と通信することができる。
スピーカ５０は、制御部４４０から出力される通話相手の音声などを出力することができる。
【００１４】
マイク５２は、無線端末１のユーザの音声などを受けて、制御部４４０へ出力することができる。
【００１５】
ディスプレイ５４は、制御部４４０から出力される画面を表示することができる。
タッチパネル５６は、ユーザからの入力を受け付けることができる。
【００１６】
カメラ５８は、被写体を撮影することができる。
図２は、第１の実施形態の無線端末１において送受信される無線信号の周波数帯域を表わす図である。送信信号の周波数帯域は、Ｂ４＿Ｔｘ（１７１０〜１７５５ＭＨｚ）と、Ｂ２＿Ｔｘ（１８５０〜１９１０ＭＨｚ）である。受信信号の周波数帯域は、Ｂ２＿Ｒｘ（１９３０〜１９９０ＭＨｚ）と、Ｂ４＿Ｒｘ（２１１０〜２１５５ＭＨｚ）である。無線端末１は、ＭＩＭＯ受信するために、受信時には、１つのアンテナを通じてＢ２＿Ｒｘの帯域の信号を受信し（Ｂ２＿Ｒｘ０と記す）、別のアンテナを通じてＢ２＿Ｒｘの帯域の信号を受信する（Ｂ２＿Ｒｘ１と記す）ことができるとともに、１つのアンテナを通じてＢ４＿Ｒｘの帯域の信号を受信し（Ｂ４＿Ｒｘ０と記す）、別のアンテナを通じてＢ４＿Ｒｘの帯域の信号を受信する（Ｂ４＿Ｒｘ１と記す）ことができる。
【００１７】
Ｂ２＿ＴｘおよびＢ２＿Ｒｘは、ＬＴＥにおいて使用されるときのバンド名であり、一般的にＰＣＳ（Personal  Communications  Service）１９００と称される。Ｂ４＿ＴｘおよびＢ４＿Ｒｘは、ＬＴＥにおいて使用されるときのバンド名であり、ＡＷＳ（Advanced  Wireless  Service）１７００と称される。
【００１８】
図３は、第１の実施形態のアンテナ部２および無線処理部３の構成を表わす図である。
無線処理部３は、分波部４と、無線周波数トランシーバ５と、ベースバンドＩＣ（ベースバンド処理部）６とを備える。
【００１９】
ベースバンドＩＣ６は、ＬＴＥ用のベースバンド処理を実行する。具体的には、ベースバンドＩＣ６は、ダウンリンクデータに対して、チャネル復号化、離散フーリエ変換（ＤＦＴ）、デマッピング、フーリエ変換（ＦＦＴ）、データ復調等の処理を行なう。ベースバンドＩＣ６は、アップリンクデータに対して、チャネル符号化、データ変調、マッピング、逆フーリエ変換（ＩＦＦＴ）等の処理を行う。
【００２０】
ベースバンドＩＣ６は、同一の周波数帯域であり、かつ２つのアンテナで受信されたダウンリンクデータに対してＭＩＭＯ受信処理を実行する。ベースバンドＩＣ６は、無線基地局が空間多重化した信号を送信する場合には、空間多重化された信号を分離する処理を行なうことができ、無線基地局が時空間符号化した信号を送信する場合には、時間符号化された信号を復号化する処理を行なうことができる。
【００２１】
ベースバンドＩＣ６は、キャリアアグリゲーション送信処理として、ダウンリンクデータをラウンドロビン方式などの所定の規則に従って、第１のＲＦトランシーバＩＣ２１用と、第２のＲＦトランシーバＩＣ２２用の２系統に分割することができる。ベースバンドＩＣ６は、分割されたデータに対して、上記のダウンリンクデータ用のベースバンド処理を実行することができる。
【００２２】
ベースバンドＩＣ６は、キャリアアグリゲーション受信処理として、第１のＲＦトランシーバＩＣ２１から出力されるデータおよび第２のＲＦトランシーバＩＣ２２から出力されるデータに対してそれぞれ上述のアップリンクデータ用のベースバンド処理を実行することによって、無線基地局において送信時に分割されたデータを得ることができる。ベースバンドＩＣ６は、得られた分割されたデータを統合して元のデータを再生することができる。
【００２３】
アンテナ部２は、第１のアンテナＡＮＴ１と、第２のアンテナＡＮＴ２と、第３のアンテナＡＮＴ３と、第４のアンテナＡＮＴ４とを備える。
【００２４】
第１のアンテナＡＮＴ１は、１８５０ＭＨｚ〜１９９０ＭＨｚにおいて、所定値以下のＶＳＷＲ（Voltage  Standing  Wave  Ratio）を有する。第１のアンテナＡＮＴ１は、Ｂ２＿Ｔｘの信号を送信することができるとともに、Ｂ２＿Ｒｘ０の信号を受信することができる。第２のアンテナＡＮＴ２は、１９３０ＭＨｚ〜１９９０ＭＨｚにおいて、所定値以下のＶＳＷＲを有する。第２のアンテナＡＮＴ２は、Ｂ２＿Ｒｘ１の信号を受信することができる。第３のアンテナＡＮＴ３は、１７１０ＭＨｚ〜２１５５ＭＨｚにおいて、所定値以下のＶＳＷＲを有する。第３のアンテナＡＮＴ３は、Ｂ４＿Ｔｘの信号を送信することができるとともに、Ｂ４＿Ｒｘ０の信号を受信することができる。第４のアンテナＡＮＴ４は、２１１０ＭＨｚ〜２１５５ＭＨｚにおいて、所定値以下のＶＳＷＲを有する。第４のアンテナＡＮＴ４は、Ｂ４＿Ｒｘ１の信号を受信することができる。
【００２５】
無線周波数トランシーバ５は、第１のＲＦトランシーバＩＣ２１と、第２のＲＦトランシーバＩＣ２２とを備える。
【００２６】
第１のＲＦトランシーバＩＣ２１は、ベースバンド信号を周波数変換してＢ２＿Ｔｘの帯域の信号を出力することができる。第１のＲＦトランシーバＩＣ２１は、Ｂ２＿Ｒｘの帯域の２つの信号（Ｂ２＿Ｒｘ０とＢ２＿Ｒｘ１）を周波数変換してベースバンド信号に変換してベースバンドＩＣ６に出力することができる。
【００２７】
第２のＲＦトランシーバＩＣ２２は、ベースバンド信号を周波数変換してＢ４＿Ｔｘの帯域の信号を出力することができる。第２のＲＦトランシーバＩＣ２２は、Ｂ４＿Ｒｘの帯域の２つの信号（Ｂ４＿Ｒｘ０とＢ４＿Ｒｘ１）を周波数変換してベースバンド信号に変換してベースバンドＩＣ６に出力することができる。
【００２８】
分波部４は、Ｂ２−デュプレクサ１５と、電力増幅器（ＰＡ）１１と、Ｂ２＿Ｒｘフィルタ１３と、Ｂ４−デュプレクサ１６と、電力増幅器（ＰＡ）１２と、Ｂ４＿Ｒｘフィルタ１４とを備える。
【００２９】
図４は、第１のＲＦトランシーバＩＣ２１および第２のＲＦトランシーバＩＣ２２の構成を表わす図である。
【００３０】
図４を参照して、第１のＲＦトランシーバＩＣ２１は、送信処理部９２と、第１の受信処理部９３と、第２の受信処理部９４とを備える。
【００３１】
端子Ｔ４は、ベースバンドＩＣ６からのデジタルのベースバンド信号を受けることができる。送信処理部９２は、端子Ｔ４で受けたベースバンド信号をアナログ信号に変換した後、Ｂ２＿Ｔｘの帯域の信号に周波数変換して、端子Ｔ１から電力増幅器１１へ出力することができる。
【００３２】
端子Ｔ２は、Ｂ２−デュプレクサ１５からＢ２＿Ｒｘの帯域の信号（Ｂ２＿Ｒｘ０）を受けることができる。第１の受信処理部９３は、端子Ｔ２で受けたＢ２＿Ｒｘ０の信号を増幅した後、ベースバンド信号に周波数変換し、さらにデジタル信号に変換して、端子Ｔ５＿０から出力することができる。
【００３３】
端子Ｔ３は、Ｂ２＿Ｒｘフィルタ１３からＢ２＿Ｒｘの帯域の信号（Ｂ２＿Ｒｘ１）を受けることができる。第２の受信処理部９４は、端子Ｔ３で受けたＢ２＿Ｒｘ１の信号を増幅した後、ベースバンド信号に周波数変換し、さらにデジタル信号に変換して、端子Ｔ５＿１から出力することができる。
【００３４】
第２のＲＦトランシーバＩＣ２２は、送信処理部９６と、第１の受信処理部９７と、第２の受信処理部９８とを備える。
【００３５】
端子Ｔ９は、ベースバンドＩＣ６からのデジタルのベースバンド信号を受けることができる。送信処理部９６は、端子Ｔ９で受けたベースバンド信号をアナログ信号に変換した後、Ｂ４＿Ｔｘの帯域の信号に周波数変換して、端子Ｔ６から電力増幅器１２へ出力することができる。
【００３６】
端子Ｔ７は、Ｂ４−デュプレクサ１６からＢ４＿Ｒｘの帯域の信号（Ｂ４＿Ｒｘ０）を受けることができる。第１の受信処理部９７は、端子Ｔ６で受けたＢ４＿Ｒｘ０の信号を増幅した後、ベースバンド信号に周波数変換し、さらにデジタル信号に変換して、端子Ｔ１０＿０から出力することができる。
【００３７】
端子Ｔ８は、Ｂ４＿Ｒｘフィルタ１４からＢ４＿Ｒｘ１の帯域の信号（Ｂ４＿Ｒｘ１）を受けることができる。第２の受信処理部９８は、端子Ｔ８で受けたＢ４＿Ｒｘ１の信号を増幅した後、ベースバンド信号に周波数変換し、さらにデジタル信号に変換して、端子Ｔ１０＿１から出力することができる。
【００３８】
再び、図３を参照して、電力増幅器１１は、第１のＲＦトランシーバＩＣ２１から出力されるＢ２＿Ｔｘの信号の電力を増幅して、Ｂ２−デュプレクサ１５へ出力することができる。
【００３９】
Ｂ２−デュプレクサ１５は、第１のアンテナＡＮＴ１から出力される信号からＢ２＿Ｒｘの帯域成分を抽出して、第１のＲＦトランシーバＩＣ２１へ出力する。Ｂ２−デュプレクサ１５は、Ｂ２＿Ｔｘの信号を第１のアンテナＡＮＴ１へ出力することができる。
【００４０】
Ｂ２＿Ｒｘフィルタ１３は、第２のアンテナＡＮＴ２から出力される信号のＢ２＿Ｒｘの帯域の成分を通過させて、Ｂ２＿Ｒｘ１の信号を第１のＲＦトランシーバＩＣ２１へ出力することができる。
【００４１】
電力増幅器１２は、第２のＲＦトランシーバＩＣ２１から出力されるＢ４＿Ｔｘの信号の電力を増幅して、Ｂ４−デュプレクサ１６へ出力することができる。
【００４２】
Ｂ４−デュプレクサ１６は、第３のアンテナＡＮＴ３から出力される信号からＢ４＿Ｒｘの帯域成分を抽出して、第２のＲＦトランシーバＩＣ２２へ出力する。Ｂ４−デュプレクサ１６は、Ｂ４＿Ｔｘの信号を第３のアンテナＡＮＴ３へ出力することができる。
【００４３】
Ｂ４＿Ｒｘフィルタ１４は、第４のアンテナＡＮＴ４から出力される信号のＢ４＿Ｒｘの帯域の成分を通過させて、Ｂ４＿Ｒｘ１の信号を第２のＲＦトランシーバＩＣ２２へ出力することができる。
【００４４】
図５は、Ｂ２−デュプレクサ１５の構成を表わす図である。
Ｂ２−デュプレクサ１５は、マルチプレクサの１種であり、無線処理部３から特定の帯域の送信信号を受けて、第１のアンテナＡＮＴ１へ出力すると同時に、第１のアンテナＡＮＴ１から受信した信号に含まれる特定の帯域成分を無線処理部３へ出力することができる。
【００４５】
Ｂ２−デュプレクサ１５は、端子Ｔ１１，Ｔ１２，Ｔ１３と、送信フィルタ７２と、受信フィルタ７３とを備える。
【００４６】
送信フィルタ７２は、Ｂ２＿Ｔｘの帯域の通過特性を有する。受信フィルタ７３は、Ｂ２＿Ｒｘの通過特性を有する。したがって、Ｂ２＿Ｔｘの帯域の送信信号の受信経路への回り込みに対してアイソレーションが確保できる。
【００４７】
端子Ｔ１２は、電力増幅器１１から送られるＢ２＿Ｔｘの信号を受けることができる。
送信フィルタ７２は、端子Ｔ１２で受けたＢ２＿Ｔｘの信号からＢ２＿Ｔｘ以外の帯域成分（ノイズ）を除去して、端子Ｔ１１へ出力することができる。
【００４８】
端子Ｔ１１は、第１のアンテナＡＮＴ１から受信信号を受けて、受信フィルタ７３へ出力することができる。第１のアンテナＡＮＴ１からの受信信号は、送信フィルタ７２の方向へも流れるが、送信信号の電力は、受信信号の電力よりも高いため、第１のアンテナＡＮＴ１からの受信信号は、送信信号には影響を与えない。端子Ｔ１１は、送信フィルタ７２からＢ２＿Ｔｘの信号を受けて、第１のアンテナＡＮＴ１へ出力することができる。
【００４９】
受信フィルタ７３は、端子Ｔ１１から出力される信号からＢ２＿Ｒｘの帯域の成分を通過させて、Ｂ２＿Ｒｘ０の信号を端子Ｔ１３から第１のＲＦトランシーバＩＣ２１へ出力することができる。
【００５０】
図６は、Ｂ４−デュプレクサ１６の構成を表わす図である。
Ｂ４−デュプレクサ１６は、マルチプレクサの１種であり、無線処理部３から特定の帯域の送信信号を受けて、第３のアンテナＡＮＴ３へ出力すると同時に、第３のアンテナＡＮＴ３から受信した信号に含まれる特定の帯域成分を無線処理部３へ出力することができる。
【００５１】
Ｂ４−デュプレクサ１５は、端子Ｔ１４，Ｔ１５，Ｔ１６と、送信フィルタ７５と、受信フィルタ７６とを備える。
【００５２】
送信フィルタ７５は、Ｂ４＿Ｔｘの帯域の通過特性を有する。受信フィルタ７６は、Ｂ４＿Ｒｘの帯域の通過特性を有する。したがって、Ｂ４＿Ｔｘの帯域の送信信号の受信経路への回り込みに対してアイソレーションが確保できる。
【００５３】
端子Ｔ１５は、電力増幅器１２から送られるＢ４＿Ｔｘの信号を受けることができる。
送信フィルタ７５は、端子Ｔ１５で受けたＢ４＿Ｔｘの信号からＢ４＿Ｔｘ以外の帯域成分（ノイズ）を除去して、端子Ｔ１４へ出力することができる。
【００５４】
端子Ｔ１４は、第３のアンテナＡＮＴ３から受信信号を受けて、受信フィルタ７６へ出力することができる。第３のアンテナＡＮＴ３からの受信信号は、送信フィルタ７５の方向へも流れるが、送信信号の電力は、受信信号の電力よりも高いため、第３のアンテナＡＮＴ３からの受信信号は、送信信号には影響を与えない。端子Ｔ１４は、送信フィルタ７５からＢ４＿Ｔｘの信号を受けて、第３のアンテナＡＮＴ３へ出力することができる。
【００５５】
受信フィルタ７６は、端子Ｔ１４から出力される信号からＢ４＿Ｒｘの帯域の成分を通過させて、Ｂ４＿Ｒｘ０の信号を端子Ｔ１６から第２のＲＦトランシーバＩＣ２２へ出力することができる。
【００５６】
次に、送信時の処理の手順を受信時の処理の手順について説明する。
（送信処理）
ベースバンドＩＣ６は、アップリンクデータをベースバンド信号ＴｘＡとベースバンド信号ＴｘＢの２系統に分割して、ベースバンド信号ＴｘＡを第１のＲＦトランシーバＩＣ２１へ出力し、ベースバンド信号ＴｘＢを第２のＲＦトランシーバＩＣ２２へ出力することができる。
【００５７】
第１のＲＦトランシーバＩＣ２１は、ベースバンド信号ＴｘＡを受けて、Ｂ２＿Ｔｘの帯域の信号に周波数変換することができる。第１のＲＦトランシーバＩＣ２１は、Ｂ２＿Ｔｘの帯域の信号を電力増幅器１１へ出力することができる。
【００５８】
電力増幅器１１は、Ｂ２＿Ｔｘの帯域の信号の電力を増幅してＢ２−デュプレクサ１５へ出力することができる。Ｂ２−デュプレクサ１５は、Ｂ２＿Ｔｘの帯域の信号を受信経路への回り込みを防止しつつ、第１のアンテナＡＮＴ１へ出力することができる。Ｂ２＿Ｔｘの帯域の信号の送信が可能な第１のアンテナＡＮＴ１は、Ｂ２＿Ｔｘの帯域の信号を無線基地局へ送信することができる。
【００５９】
第２のＲＦトランシーバＩＣ２２は、ベースバンド信号ＴｘＢを受けて、Ｂ４＿Ｔｘの帯域の信号に周波数変換することができる。第２のＲＦトランシーバＩＣ２２は、Ｂ４＿Ｔｘの帯域の信号を電力増幅器１２へ出力することができる。
【００６０】
電力増幅器１２は、Ｂ４＿Ｔｘの帯域の信号の電力を増幅してＢ４−デュプレクサ１６へ出力することができる。Ｂ４−デュプレクサ１６は、Ｂ４＿Ｔｘの帯域の信号を受信経路への回り込みを防止しつつ、第３のアンテナＡＮＴ３へ出力することができる。Ｂ４＿Ｔｘの帯域の信号の送信が可能な第３のアンテナＡＮＴ３は、Ｂ４＿Ｔｘの帯域の信号を無線基地局へ送信することができる。
【００６１】
以上の動作によって、キャリアアグリゲーション送信が可能となる。
（受信処理）
Ｂ２＿Ｒｘの帯域の信号の受信が可能な第１のアンテナＡＮＴ１は、無線基地局からの信号を受信して、Ｂ２−デュプレクサ１５へ出力することができる。Ｂ２−デュプレクサ１５は、Ｂ２＿Ｒｘの帯域の信号（Ｂ２＿Ｒｘ０）を通過させて、第１のＲＦトランシーバＩＣ２１へ出力することができる。
【００６２】
Ｂ２＿Ｒｘの帯域の信号の受信が可能な第２のアンテナＡＮＴ２は、無線基地局からの信号を受信して、Ｂ２＿Ｒｘフィルタ１３へ出力することができる。Ｂ２＿Ｒｘフィルタ１３は、Ｂ２＿Ｒｘの帯域の信号（Ｂ２＿Ｒｘ１）を通過させて、第１のＲＦトランシーバＩＣ２１へ出力することができる。
【００６３】
第１のＲＦトランシーバＩＣ２１は、Ｂ２−デュプレクサ１５から出力されたＢ２＿Ｒｘの帯域の信号（Ｂ２＿Ｒｘ０）を周波数変換して得られるベースバンド信号ＲｘＡ０をベースバンドＩＣ６へ出力することができる。第１のＲＦトランシーバＩＣ２１は、Ｂ２＿Ｒｘフィルタ１３から出力されたＢ２＿Ｒｘの帯域の信号（Ｂ２＿Ｒｘ１）を周波数変換して得られるベースバンド信号ＲｘＡ１をベースバンドＩＣ６へ出力することができる。
【００６４】
Ｂ４＿Ｒｘの帯域の信号の受信が可能な第３のアンテナＡＮＴ３は、無線基地局からの信号を受信して、Ｂ４−デュプレクサ１６へ出力することができる。Ｂ４−デュプレクサ１６は、Ｂ４＿Ｒｘの帯域の信号（Ｂ４＿Ｒｘ０）を通過させて、第２のＲＦトランシーバＩＣ２２へ出力することができる。
【００６５】
Ｂ４＿Ｒｘの帯域の信号の受信が可能な第４のアンテナＡＮＴ４は、無線基地局からの信号を受信して、Ｂ４＿Ｒｘフィルタ１４へ出力することができる。Ｂ４＿Ｒｘフィルタ１４は、Ｂ４＿Ｒｘの帯域の信号（Ｂ４＿Ｒｘ１）を通過させて、第２のＲＦトランシーバＩＣ２２へ出力することができる。
【００６６】
第２のＲＦトランシーバＩＣ２２は、Ｂ４−デュプレクサ１６から出力されたＢ４＿Ｒｘの帯域の信号（Ｂ４＿Ｒｘ０）を周波数変換して得られるベースバンド信号ＲｘＢ０をベースバンドＩＣ６へ出力することができる。第２のＲＦトランシーバＩＣ２２は、Ｂ４＿Ｒｘフィルタ１４から出力されたＢ４＿Ｒｘの帯域の信号（Ｂ４＿Ｒｘ１）を周波数変換して得られるベースバンド信号ＲｘＢ１をベースバンドＩＣ６へ出力することができる。
【００６７】
ベースバンドＩＣ６は、第１のＲＦトランシーバＩＣ２１から送られてくるベースバンド信号ＲｘＡ０と、ベースバンド信号ＲｘＡ１とをＭＩＭＯ受信処理して、信号ＲｘＡを生成する。ベースバンドＩＣ６は、第２のＲＦトランシーバＩＣ２２から送られてくるベースバンド信号ＲｘＢ０と、ベースバンド信号ＲｘＢ１とをＭＩＭＯ受信処理して、信号ＲｘＢを生成する。ベースバンドＩＣ６は、信号ＲｘＡと信号ＲｘＢとを統合して、ダウンリンクデータを生成することができる。
【００６８】
以上の動作によって、キャリアアグリゲーション受信が可能となる。
上述の送信処理と受信処理は、同時に実行することができる。
【００６９】
以上のように、第１の実施形態の無線端末は、互いに異なる周波数帯域の２つの信号を送信し、帯域Ａの２つの信号を異なるアンテナで受信するとともに、帯域Ｂの２つの信号を異なるアンテナで受信する。これによって、無線端末は、キャリアアグリゲーション機能とＭＩＭＯ受信機能の両方を実行することができる。
【００７０】
[第２の実施形態]
図７は、第２の実施形態のアンテナ部２および無線処理部３の構成を表わす図である。
【００７１】
図７の第２の実施形態の構成が、図３の第１の実施形態の構成と相違する点は、以下である。
【００７２】
第２の実施形態のアンテナ部２は、第１のアンテナＡＮＴ１と、第２のアンテナＡＮＴ２と、第３のアンテナＡＮＴ３とを備える。
【００７３】
第１のアンテナＡＮＴ１は、１８５０ＭＨｚ〜１９９０ＭＨｚにおいて、所定値以下のＶＳＷＲ（Voltage  Standing  Wave  Ratio）を有する。第１のアンテナＡＮＴ１は、Ｂ２＿Ｔｘの信号を送信することができるとともに、Ｂ２＿Ｒｘ０の信号を受信することができる。
【００７４】
第２のアンテナＡＮＴ２は、１９３０ＭＨｚ〜２１５５ＭＨｚにおいて、所定値以下のＶＳＷＲを有する。第２のアンテナＡＮＴ２は、Ｂ２＿Ｒｘ１およびＢ４＿Ｒｘ１の信号を受信することができる。
【００７５】
第３のアンテナＡＮＴ３は、１７１０ＭＨｚ〜２１５５ＭＨｚにおいて、所定値以下のＶＳＷＲを有する。第３のアンテナＡＮＴ３は、Ｂ４＿Ｔｘの信号を送信することができるとともに、Ｂ４＿Ｒｘ０の信号を受信することができる。
【００７６】
第２の実施形態の分波部４は、第１の実施形態の分波部４に含まれるＢ２＿Ｒｘフィルタ１３およびＢ４＿Ｒｘフィルタ１４の代わりに、Ｂ２／Ｂ４−デュアルＲｘフィルタ１７を備える。
【００７７】
Ｂ２／Ｂ４−デュアルＲｘフィルタ１７は、第２のアンテナＡＮＴ２から出力される信号のＢ２＿Ｒｘの帯域の成分を通過させて、Ｂ２＿Ｒｘ１の信号を第１のＲＦトランシーバＩＣ２１へ出力することができると同時に、第２のアンテナＡＮＴ２から出力される信号のＢ４＿Ｒｘの帯域の成分を通過させて、Ｂ４＿Ｒｘ１の信号を第２のＲＦトランシーバＩＣ２２へ出力することができる。
【００７８】
（送信処理）
ベースバンドＩＣ６は、アップリンクデータをベースバンド信号ＴｘＡとベースバンド信号ＴｘＢの２系統に分割して、ベースバンド信号ＴｘＡを第１のＲＦトランシーバＩＣ２１へ出力し、ベースバンド信号ＴｘＢを第２のＲＦトランシーバＩＣ２２へ出力することができる。
【００７９】
第１のＲＦトランシーバＩＣ２１は、ベースバンド信号ＴｘＡを受けて、Ｂ２＿Ｔｘの帯域の信号に周波数変換することができる。第１のＲＦトランシーバＩＣ２１は、Ｂ２＿Ｔｘの帯域の信号を電力増幅器１１へ出力することができる。
【００８０】
電力増幅器１１は、Ｂ２＿Ｔｘの帯域の信号の電力を増幅してＢ２−デュプレクサ１５へ出力することができる。Ｂ２−デュプレクサ１５は、Ｂ２＿Ｔｘの帯域の信号を受信経路への回り込みを防止しつつ、第１のアンテナＡＮＴ１へ出力することができる。Ｂ２＿Ｔｘの帯域の信号の送信が可能な第１のアンテナＡＮＴ１は、Ｂ２＿Ｔｘの帯域の信号を無線基地局へ送信することができる。
【００８１】
第２のＲＦトランシーバＩＣ２２は、ベースバンド信号ＴｘＢを受けて、Ｂ４＿Ｔｘの帯域の信号に周波数変換することができる。第２のＲＦトランシーバＩＣ２２は、Ｂ４＿Ｔｘの帯域の信号を電力増幅器１２へ出力することができる。
【００８２】
電力増幅器１２は、Ｂ４＿Ｔｘの帯域の信号の電力を増幅してＢ４−デュプレクサ１６へ出力することができる。Ｂ４−デュプレクサ１６は、Ｂ４＿Ｔｘの帯域の信号を受信経路への回り込みを防止しつつ、第３のアンテナＡＮＴ３へ出力することができる。Ｂ４＿Ｔｘの帯域の信号の送信が可能な第３のアンテナＡＮＴ３は、Ｂ４＿Ｔｘの帯域の信号を無線基地局へ送信することができる。
【００８３】
以上の動作によって、キャリアアグリゲーション送信が可能となる。
（受信処理）
Ｂ２＿Ｒｘの帯域の信号の受信が可能な第１のアンテナＡＮＴ１は、無線基地局からの信号を受信して、Ｂ２−デュプレクサ１５へ出力することができる。Ｂ２−デュプレクサ１５は、Ｂ２＿Ｒｘの帯域の信号（Ｂ２＿Ｒｘ０）を通過させて、第１のＲＦトランシーバＩＣ２１へ出力することができる。
【００８４】
Ｂ４＿Ｒｘの帯域の信号の受信が可能な第３のアンテナＡＮＴ３は、無線基地局からの信号を受信して、Ｂ４−デュプレクサ１６へ出力することができる。Ｂ４−デュプレクサ１６は、Ｂ４＿Ｒｘの帯域の信号（Ｂ４＿Ｒｘ０）を通過させて、第２のＲＦトランシーバＩＣ２２へ出力することができる。
【００８５】
Ｂ２＿Ｒｘの帯域およびＢ４＿Ｒｘの帯域の信号の受信が可能な第２のアンテナＡＮＴ２は、無線基地局からの信号を受信して、Ｂ２／Ｂ４＿Ｒｘフィルタ１７へ出力することができる。Ｂ２／Ｂ４＿Ｒｘフィルタ１７は、Ｂ２＿Ｒｘの帯域の信号（Ｂ２＿Ｒｘ１）を通過させて、第１のＲＦトランシーバＩＣ２１へ出力することができるとともに、Ｂ４＿Ｒｘの帯域の信号（Ｂ４＿Ｒｘ１）を通過させて、第２のＲＦトランシーバＩＣ２２へ出力することができる。
【００８６】
第１のＲＦトランシーバＩＣ２１は、Ｂ２−デュプレクサ１５から出力されたＢ２＿Ｒｘの帯域の信号（Ｂ２＿Ｒｘ０）を周波数変換して得られるベースバンド信号ＲｘＡ０をベースバンドＩＣ６へ出力することができる。第１のＲＦトランシーバＩＣ２２は、Ｂ２／Ｂ４＿Ｒｘフィルタ１７から出力されたＢ２＿Ｒｘの帯域の信号（Ｂ２＿Ｒｘ１）を周波数変換して得られるベースバンド信号ＲｘＡ１をベースバンドＩＣ６へ出力することができる。
【００８７】
第２のＲＦトランシーバＩＣ２２は、Ｂ４−デュプレクサ１６から出力されたＢ４＿Ｒｘの帯域の信号（Ｂ４＿Ｒｘ０）を周波数変換して得られるベースバンド信号ＲｘＢ０をベースバンドＩＣ６へ出力することができる。第２のＲＦトランシーバＩＣ２２は、Ｂ２／Ｂ４＿Ｒｘフィルタ１７から出力されたＢ４＿Ｒｘの帯域の信号（Ｂ４＿Ｒｘ１）を周波数変換して得られるベースバンド信号ＲｘＢ１をベースバンドＩＣ６へ出力することができる。
【００８８】
ベースバンドＩＣ６は、第１のＲＦトランシーバＩＣ２１から送られてくるベースバンド信号ＲｘＡ０と、ベースバンド信号ＲｘＡ１とをＭＩＭＯ受信処理して、信号ＲｘＡを生成することができる。ベースバンドＩＣ６は、第２のＲＦトランシーバＩＣ２２から送られてくるベースバンド信号ＲｘＢ０と、ベースバンド信号ＲｘＢ１とをＭＩＭＯ受信処理して、信号ＲｘＢを生成することができる。ベースバンドＩＣ６は、信号ＲｘＡと信号ＲｘＢとを統合して、ダウンリンクデータを生成することができる。
【００８９】
以上の動作によって、キャリアアグリゲーション受信が可能となる。
上述の送信処理と受信処理は、同時に実行することができる。
【００９０】
以上のように、第２の実施形態の無線端末は、第１の実施形態と同様に、キャリアアグリゲーション機能とＭＩＭＯ受信機能の両方を実行することができるとともに、アンテナの本数を第１の実施形態よりも１つだけ少なくすることができる。
【００９１】
［第３の実施形態］
図８は、第３の実施形態のアンテナ部２および無線処理部３の構成を表わす図である。
【００９２】
図８の第３の実施形態の構成が、図７の第２の実施形態の構成と相違する点は、以下である。
【００９３】
第３の実施形態のアンテナ部２は、第１のアンテナＡＮＴ１と、第２のアンテナＡＮＴ２とを備える。
【００９４】
第１のアンテナＡＮＴ１は、１７１０ＭＨｚ〜２１５５ＭＨｚにおいて、所定値以下のＶＳＷＲ（Voltage  Standing  Wave  Ratio）を有する。第１のアンテナＡＮＴ１は、Ｂ２＿Ｔｘの信号およびＢ４＿Ｔｘの信号を送信することができるとともに、Ｂ２＿Ｒｘ０およびＢ４＿Ｒｘ０の信号を受信することができる。
【００９５】
第２のアンテナＡＮＴ２は、１９３０ＭＨｚ〜２１５５ＭＨｚにおいて、所定値以下のＶＳＷＲを有する。第２のアンテナＡＮＴ２は、Ｂ２＿Ｒｘ１の信号およびＢ４＿Ｒｘ１の信号を受信することができる。
【００９６】
第３の実施形態の分波部４は、第２の実施形態の分波部４に含まれるＢ２−デュプレクサ１５およびＢ４−デュプレクサ１６の代わりに、クワッドプレクサ３１を備える。
【００９７】
図９は、クワッドプレクサ３１の構成を表わす図である。
クワッドプレクサ３１は、マルチプレクサの１種であり、無線処理部３から第１の特定の帯域の送信信号と第２の特定の帯域の送信信号を受けて、第１のアンテナＡＮＴ１へ出力すると同時に、第１のアンテナＡＮＴ１から受信した信号に含まれる第１の特定の帯域成分および第２の特定の帯域成分を無線処理部３へ出力することができる。
【００９８】
クワッドプレクサ３１は、端子Ｔ２１〜Ｔ２５と、第１の送信フィルタ８２と、第１の受信フィルタ８３と、第２の送信フィルタ８４と、第２の受信フィルタ８５とを備える。
【００９９】
第１の送信フィルタ８２は、Ｂ２＿Ｔｘの帯域の通過特性を有する。第１の受信フィルタ８３は、Ｂ２＿Ｒｘの通過特性を有する。
【０１００】
第２の送信フィルタ８４は、Ｂ４＿Ｔｘの帯域の通過特性を有する。第２の受信フィルタ８５は、Ｂ４＿Ｒｘの通過特性を有する。したがって、Ｂ２＿Ｔｘの帯域の送信信号およびＢ４＿Ｔｘの帯域の送信信号の受信経路への回り込みに対してアイソレーションが確保できる。
【０１０１】
端子Ｔ２２は、電力増幅器１１から送られるＢ２＿Ｔｘの信号を受けることができる。第１の送信フィルタ８２は、端子Ｔ２２で受けたＢ２＿Ｔｘの信号からＢ２＿Ｔｘ以外の帯域成分（ノイズ）を除去して、端子Ｔ２１へ出力することができる。
【０１０２】
端子Ｔ２４は、電力増幅器１２から送られるＢ４＿Ｔｘの信号を受けることができる。第２の送信フィルタ８４」は、端子Ｔ２４で受けたＢ４＿Ｔｘの信号からＢ４＿Ｔｘ以外の帯域成分（ノイズ）を除去して、端子Ｔ２１へ出力することができる。
【０１０３】
端子Ｔ２１は、第１のアンテナＡＮＴ１から受信信号を受けて、第１の受信フィルタ８３および第２の受信フィルタ８５へ出力することができる。第１のアンテナＡＮＴ１からの受信信号は、第１の送信フィルタ８２および第２の送信フィルタ８４の方向へも流れるが、送信信号の電力は、受信信号の電力よりも高いため、第１のアンテナＡＮＴ１からの受信信号は、送信信号には影響を与えない。端子Ｔ２１は、第１の送信フィルタ８２からＢ２＿Ｔｘの信号を受けて、第１のアンテナＡＮＴ１へ出力することができるとともに、第２の送信フィルタ８４からＢ４＿Ｔｘの信号を受けて、第１のアンテナＡＮＴ１へ出力することができる。
【０１０４】
第１の受信フィルタ８３は、端子Ｔ２１から出力される信号からＢ２＿Ｒｘの帯域の成分を通過させて、Ｂ２＿Ｒｘ０の信号を端子Ｔ２３から第１のＲＦトランシーバＩＣ２１へ出力することができる。第２の受信フィルタ８５は、端子Ｔ２１から出力される信号からＢ４＿Ｒｘの帯域の成分を通過させて、Ｂ４＿Ｒｘ０の信号を端子Ｔ２５から第２のＲＦトランシーバＩＣ２２へ出力することができる。
【０１０５】
（送信処理）
ベースバンドＩＣ６は、アップリンクデータをベースバンド信号ＴｘＡとベースバンド信号ＴｘＢの２系統に分割して、ベースバンド信号ＴｘＡを第１のＲＦトランシーバＩＣ２１へ出力し、ベースバンド信号ＴｘＢを第２のＲＦトランシーバＩＣ２２へ出力することができる。
【０１０６】
第１のＲＦトランシーバＩＣ２１は、ベースバンド信号ＴｘＡを受けて、Ｂ２＿Ｔｘの帯域の信号に周波数変換することができる。第１のＲＦトランシーバＩＣ２１は、Ｂ２＿Ｔｘの帯域の信号を電力増幅器１１へ出力することができる。
【０１０７】
電力増幅器１１は、Ｂ２＿Ｔｘの帯域の信号の電力を増幅して、クワッドプレクサ３１へ出力することができる。クワッドプレクサ３１は、Ｂ２＿Ｔｘの帯域の信号を受信経路への回り込みを防止しつつ、第１のアンテナＡＮＴ１へ出力することができる。Ｂ２＿Ｔｘの帯域の信号の送信が可能な第１のアンテナＡＮＴ１は、Ｂ２＿Ｔｘの帯域の信号を無線基地局へ送信することができる。
【０１０８】
第２のＲＦトランシーバＩＣ２２は、ベースバンド信号ＴｘＢを受けて、Ｂ４＿Ｔｘの帯域の信号に周波数変換することができる。第２のＲＦトランシーバＩＣ２２は、Ｂ４＿Ｔｘの帯域の信号を電力増幅器１２へ出力することができる。
【０１０９】
電力増幅器１２は、Ｂ４＿Ｔｘの帯域の信号の電力を増幅して、クワッドプレクサ３１へ出力することができる。クワッドプレクサ３１は、Ｂ４＿Ｔｘの帯域の信号を受信経路への回り込みを防止しつつ、第１のアンテナＡＮＴ１へ出力することができる。Ｂ４＿Ｔｘの帯域の信号の送信が可能な第１のアンテナＡＮＴ１は、Ｂ４＿Ｔｘの帯域の信号を無線基地局へ送信することができる。
【０１１０】
以上のように、第１のアンテナＡＮＴ１によって、Ｂ２＿Ｔｘの帯域の信号とＢ４＿Ｔｘの帯域の信号が同時に送信されることができる。
【０１１１】
以上の動作によって、キャリアアグリゲーション送信が可能となる。
（受信処理）
Ｂ２＿Ｒｘの帯域およびＢ４＿Ｒｘ帯域の信号の受信が可能な第１のアンテナＡＮＴ１は、無線基地局からの信号を受信して、クワッドプレクサ３１へ出力することができる。クワッドプレクサ３１は、Ｂ２＿Ｒｘの帯域の信号（Ｂ２＿Ｒｘ０）を通過させて、第１のＲＦトランシーバＩＣ２１へ出力することができるとともに、Ｂ４＿Ｒｘの帯域の信号（Ｂ４＿Ｒｘ０）を通過させて、第２のＲＦトランシーバＩＣ２２へ出力することができる。
【０１１２】
Ｂ２＿Ｒｘの帯域およびＢ４＿Ｒｘの帯域の信号の受信が可能な第２のアンテナＡＮＴ２は、無線基地局からの信号を受信して、Ｂ２／Ｂ４＿Ｒｘフィルタ１７へ出力することができる。Ｂ２／Ｂ４＿Ｒｘフィルタ１７は、Ｂ２＿Ｒｘの帯域の信号（Ｂ２＿Ｒｘ１）を通過させて、第１のＲＦトランシーバＩＣ２１へ出力することができるとともに、Ｂ４＿Ｒｘの帯域の信号（Ｂ４＿Ｒｘ１）を通過させて、第２のＲＦトランシーバＩＣ２２へ出力することができる。
【０１１３】
第１のＲＦトランシーバＩＣ２１は、クワッドプレクサ３１から出力されたＢ２＿Ｒｘの帯域の信号（Ｂ２＿Ｒｘ０）を周波数変換して得られるベースバンド信号ＲｘＡ０をベースバンドＩＣ６へ出力することができる。第１のＲＦトランシーバＩＣ２１は、Ｂ２／Ｂ４＿Ｒｘフィルタ１７から出力されたＢ２＿Ｒｘの帯域の信号（Ｂ２＿Ｒｘ１）を周波数変換して得られるベースバンド信号ＲｘＡ１をベースバンドＩＣ６へ出力することができる。
【０１１４】
第２のＲＦトランシーバＩＣ２２は、クワッドプレクサ３１から出力されたＢ４＿Ｒｘの帯域の信号（Ｂ４＿Ｒｘ０）を周波数変換して得られるベースバンド信号ＲｘＢ０をベースバンドＩＣ６へ出力することができる。第２のＲＦトランシーバＩＣ２２は、Ｂ２／Ｂ４＿Ｒｘフィルタ１７から出力されたＢ４＿Ｒｘの帯域の信号（Ｂ４＿Ｒｘ１）を周波数変換して得られるベースバンド信号ＲｘＢ１をベースバンドＩＣ６へ出力することができる。
【０１１５】
ベースバンドＩＣ６は、第１のＲＦトランシーバＩＣ２１から送られてくるベースバンド信号ＲｘＡ０と、ベースバンド信号ＲｘＡ１とをＭＩＭＯ受信処理して、信号ＲｘＡを生成することができる。ベースバンドＩＣ６は、第２のＲＦトランシーバＩＣ２２から送られてくるベースバンド信号ＲｘＢ０と、ベースバンド信号ＲｘＢ１とをＭＩＭＯ受信処理して、信号ＲｘＢを生成することができる。ベースバンドＩＣ６は、信号ＲｘＡと信号ＲｘＢとを統合して、ダウンリンクデータを生成することができる。
【０１１６】
以上の動作によって、キャリアアグリゲーション受信が可能となる。
上述の送信処理と受信処理は、同時に実行することができる。
【０１１７】
以上のように、第３の実施形態の無線端末は、第１および第２の実施形態と同様に、キャリアアグリゲーション機能とＭＩＭＯ受信機能の両方を実行することができるとともに、アンテナの本数を第２の実施形態よりも１つだけ少なくすることができる。
【０１１８】
［第４の実施形態］
図１０は、第４の実施形態のアンテナ部２および無線処理部３の構成を表わす図である。
【０１１９】
図１０の第４の実施形態の構成が、図８の第３の実施形態の構成と相違する点は、以下である。
【０１２０】
第４の実施形態のアンテナ部２は、第１のアンテナＡＮＴ１と、第２のアンテナＡＮＴ２とを備える。
【０１２１】
第１のアンテナＡＮＴ１は、１７１０ＭＨｚ〜２１５５ＭＨｚにおいて、所定値以下のＶＳＷＲ（Voltage  Standing  Wave  Ratio）を有する。第１のアンテナＡＮＴ１は、Ｂ２＿Ｔｘの信号を送信することができるとともに、Ｂ２＿Ｒｘ０およびＢ４＿Ｒｘ１の信号を受信することができる。
【０１２２】
第２のアンテナＡＮＴ２は、１７１０ＭＨｚ〜２１５５ＭＨｚにおいて、所定値以下のＶＳＷＲを有する。第２のアンテナＡＮＴ２は、Ｂ４＿Ｔｘの信号を送信することができるとともに、Ｂ４＿Ｒｘ０およびＢ２＿Ｒｘ１の信号を受信することができる。
【０１２３】
第４の実施形態の分波部４は、第３の実施形態の分波部４に含まれるクワッドプレクサ３１およびＢ２／Ｂ４デュアルＲｘフィルタ１４に代わりに、第１のクワッドプレクサ（第１のマルチプレクサ）３２および第２のクワッドプレクサ（第２のマルチプレクサ）３３を備える。
【０１２４】
図１１は、第１のクワッドプレクサ３２の構成を表わす図である。
第１のクワッドプレクサ３２は、マルチプレクサの１種であり、無線処理部３から特定の帯域の送信信号を受けて、第１のアンテナＡＮＴ１へ出力すると同時に、第１のアンテナＡＮＴ１から受信した信号に含まれる第１の特定の帯域成分および第２の特定の帯域成分を無線処理部３へ出力することができる。
【０１２５】
第１のクワッドプレクサ３２は、第１の端子Ｔ３１と、第２の端子Ｔ３２と、第３の端子Ｔ３３と、第４の端子Ｔ３４と、第５の端子Ｔ３５と、第１の送信フィルタ４２と、第１の受信フィルタ４３と、第２の送信フィルタ４４と、第２の受信フィルタ４５とを備える。
【０１２６】
第１の送信フィルタ４２は、Ｂ２＿Ｔｘの帯域の通過特性を有する。第１の受信フィルタ４３は、Ｂ２＿Ｒｘの通過特性を有する。したがって、Ｂ２＿Ｔｘの帯域の送信信号の受信経路への回り込みに対してアイソレーションが確保できる。
【０１２７】
第２の送信フィルタ４４は、所定の帯域の通過特性を有する。第２の受信フィルタ４５は、Ｂ４＿Ｒｘの通過特性を有する。端子Ｔ３２は、電力増幅器１１から送られるＢ２＿Ｔｘの信号を受けることができる。第１の送信フィルタ４２は、端子Ｔ３２で受けたＢ２＿Ｔｘの信号からＢ２＿Ｔｘ以外の帯域成分（ノイズ）を除去して、端子Ｔ３１へ出力することができる。
【０１２８】
端子Ｔ３４は、終端抵抗４７で終端される。端子Ｔ３４に接続された第２の送信フィルタ４４からは信号が出力されない。
【０１２９】
端子Ｔ３１は、第１のアンテナＡＮＴ１から受信信号を受けて、第１の受信フィルタ４３および第２の受信フィルタ４５へ出力することができる。第１のアンテナＡＮＴ１からの受信信号は、第１の送信フィルタ４２の方向へも流れるが、送信信号の電力は、受信信号の電力よりも高いため、第１のアンテナＡＮＴ１からの受信信号は、送信信号には影響を与えない。端子Ｔ３１は、第１の送信フィルタ４２からＢ２＿Ｔｘの信号を受けて、第１のアンテナＡＮＴ１へ出力することができる。
【０１３０】
第１の受信フィルタ４３は、端子Ｔ３１から出力される信号からＢ２＿Ｒｘの帯域の成分を通過させて、Ｂ２＿Ｒｘ０の信号を端子Ｔ３３から第１のＲＦトランシーバＩＣ２１へ出力することができる。第２の受信フィルタ４５は、端子Ｔ３１から出力される信号からＢ４＿Ｒｘの帯域の成分を通過させて、Ｂ４＿Ｒｘ１の信号を端子Ｔ３５から第２のＲＦトランシーバＩＣ２２へ出力することができる。
【０１３１】
図１２は、第２のクワッドプレクサ３３の構成を表わす図である。
第２のクワッドプレクサ３３は、マルチプレクサの１種であり、無線処理部３から特定の帯域の送信信号を受けて、第２のアンテナＡＮＴ２へ出力すると同時に、第２のアンテナＡＮＴ２から受信した信号に含まれる第１の特定の帯域成分および第２の特定の帯域成分を無線処理部３へ出力することができる。
【０１３２】
第２のクワッドプレクサ３３は、第１の端子Ｔ４１と、第２の端子Ｔ４２と、第３の端子Ｔ４３と、第４の端子Ｔ４４と、第５の端子Ｔ４５と、第１の送信フィルタ６２と、第１の受信フィルタ６３と、第２の送信フィルタ６４と、第２の受信フィルタ６５とを備える。
【０１３３】
第２の送信フィルタ６４は、Ｂ４＿Ｔｘの帯域の通過特性を有する。第２の受信フィルタ６５は、Ｂ４＿Ｒｘの通過特性を有する。したがって、Ｂ４＿Ｔｘの帯域の送信信号の受信経路への回り込みに対してアイソレーションが確保できる。
【０１３４】
第１の送信フィルタ６２は、所定の帯域の通過特性を有する。第１の受信フィルタ６３は、Ｂ２＿Ｒｘの通過特性を有する。
【０１３５】
端子Ｔ４４は、電力増幅器１２から送られるＢ４＿Ｔｘの信号を受けることができる。第２の送信フィルタ６４は、端子Ｔ４４で受けたＢ４＿Ｔｘの信号からＢ４＿Ｔｘ以外の帯域成分（ノイズ）を除去して、端子Ｔ４１へ出力することができる。
【０１３６】
端子Ｔ４２は、終端抵抗４８で終端される。端子Ｔ４２に接続された第１の送信フィルタ６２からは信号が出力されない。
【０１３７】
端子Ｔ４１は、第２のアンテナＡＮＴ２から受信信号を受けて、第１の受信フィルタ６３および第２の受信フィルタ６５へ出力することができる。第２のアンテナＡＮＴ２からの受信信号は、第２の送信フィルタ６４の方向へも流れるが、送信信号の電力は、受信信号の電力よりも高いため、第２のアンテナＡＮＴ２からの受信信号は、送信信号には影響を与えない。端子Ｔ４１は、第２の送信フィルタ６４からＢ４＿Ｔｘの信号を受けて、第２のアンテナＡＮＴ２へ出力することができる。
【０１３８】
第１の受信フィルタ６３は、端子Ｔ４１から出力される信号からＢ２＿Ｒｘの帯域の成分を通過させて、Ｂ２＿Ｒｘ１の信号を端子Ｔ４３から第１のＲＦトランシーバＩＣ２１へ出力することができる。第２の受信フィルタ６５は、端子Ｔ４１から出力される信号からＢ４＿Ｒｘの帯域の成分を通過させて、Ｂ４＿Ｒｘ０の信号を端子Ｔ４５から第２のＲＦトランシーバＩＣ２２へ出力することができる。
【０１３９】
（送信処理）
ベースバンドＩＣ６は、アップリンクデータをベースバンド信号ＴｘＡとベースバンド信号ＴｘＢの２系統に分割して、ベースバンド信号ＴｘＡを第１のＲＦトランシーバＩＣ２１へ出力し、ベースバンド信号ＴｘＢを第２のＲＦトランシーバＩＣ２２へ出力することができる。
【０１４０】
第１のＲＦトランシーバＩＣ２１は、ベースバンド信号ＴｘＡを受けて、Ｂ２＿Ｔｘの帯域の信号に周波数変換することができる。第１のＲＦトランシーバＩＣ２１は、Ｂ２＿Ｔｘの帯域の信号を電力増幅器１１へ出力することができる。
【０１４１】
電力増幅器１１は、Ｂ２＿Ｔｘの帯域の信号の電力を増幅して、第１のクワッドプレクサ３２へ出力することができる。第１のクワッドプレクサ３２は、Ｂ２＿Ｔｘの帯域の信号を受信経路への回り込みを防止しつつ、第１のアンテナＡＮＴ１へ出力することができる。Ｂ２＿Ｔｘの帯域の信号の送信が可能な第１のアンテナＡＮＴ１は、Ｂ２＿Ｔｘの帯域の信号を無線基地局へ送信することができる。
【０１４２】
第２のＲＦトランシーバＩＣ２２は、ベースバンド信号ＴｘＢを受けて、Ｂ４＿Ｔｘの帯域の信号に周波数変換することができる。第２のＲＦトランシーバＩＣ２２は、Ｂ４＿Ｔｘの帯域の信号を電力増幅器１２へ出力することができる。
【０１４３】
電力増幅器１２は、Ｂ４＿Ｔｘの帯域の信号の電力を増幅して、第２のクワッドプレクサ３３へ出力することができる。第２のクワッドプレクサ３３は、Ｂ４＿Ｔｘの帯域の信号を受信経路への回り込みを防止しつつ、第２のアンテナＡＮＴ２へ出力することができる。Ｂ４＿Ｔｘの帯域の信号の送信が可能な第２のアンテナＡＮＴ２は、Ｂ４＿Ｔｘの帯域の信号を無線基地局へ送信することができる。
【０１４４】
以上のように、第１のアンテナＡＮＴ１と第２のアンテナＡＮＴ２によって、Ｂ２＿Ｔｘの帯域の信号とＢ４＿Ｔｘの帯域の信号が同時に送信されることができる。
【０１４５】
以上の動作によって、キャリアアグリゲーション送信が可能となる。
（受信処理）
Ｂ２＿Ｒｘの帯域およびＢ４＿Ｒの帯域の信号の受信が可能な第１のアンテナＡＮＴ１は、無線基地局からの信号を受信して、第１のクワッドプレクサ３２へ出力することができる。第１のクワッドプレクサ３２は、Ｂ２＿Ｒｘの帯域の信号（Ｂ２＿Ｒｘ０）を通過させて、第１のＲＦトランシーバＩＣ２１へ出力することができるとともに、Ｂ４＿Ｒｘの帯域の信号（Ｂ４＿Ｒｘ１）を通過させて、第２のＲＦトランシーバＩＣ２２へ出力することができる。
【０１４６】
Ｂ２＿Ｒｘの帯域およびＢ４＿Ｒｘの帯域の信号の受信が可能な第２のアンテナＡＮＴ２は、無線基地局からの信号を受信して、第２のクワッドプレクサ３３へ出力することができる。第２のクワッドプレクサ３３は、Ｂ２＿Ｒｘの帯域の信号（Ｂ２＿Ｒｘ１）を通過させて、第１のＲＦトランシーバＩＣ２１へ出力することができるとともに、Ｂ４＿Ｒｘの帯域の信号（Ｂ４＿Ｒｘ０）を通過させて、第２のＲＦトランシーバＩＣ２２へ出力することができる。
【０１４７】
第１のＲＦトランシーバＩＣ２１は、第１のクワッドプレクサ３２から出力されたＢ２＿Ｒｘの帯域の信号（Ｂ２＿Ｒｘ０）を周波数変換して得られるベースバンド信号ＲｘＡ０をベースバンドＩＣ６へ出力することができる。第１のＲＦトランシーバＩＣ２１は、第２のクワッドプレクサ３３から出力されたＢ２＿Ｒｘの帯域の信号（Ｂ２＿Ｒｘ１）を周波数変換して得られるベースバンド信号ＲｘＡ１をベースバンドＩＣ６へ出力する。
【０１４８】
第２のＲＦトランシーバＩＣ２２は、第１のクワッドプレクサ３２から出力されたＢ４＿Ｒｘの帯域の信号（Ｂ４＿Ｒｘ１）を周波数変換して得られるベースバンド信号ＲｘＢ０をベースバンドＩＣ６へ出力することができる。第２のＲＦトランシーバＩＣ２２は、第２のクワッドプレクサ３３から出力されたＢ４＿Ｒｘの帯域の信号（Ｂ４＿Ｒｘ０）を周波数変換して得られるベースバンド信号ＲｘＢ１をベースバンドＩＣ６へ出力することができる。
【０１４９】
ベースバンドＩＣ６は、第１のＲＦトランシーバＩＣ２１から送られてくるベースバンド信号ＲｘＡ０と、ベースバンド信号ＲｘＡ１とをＭＩＭＯ受信処理して、信号ＲｘＡを生成することができる。ベースバンドＩＣ６は、第２のＲＦトランシーバＩＣ２２から送られてくるベースバンド信号ＲｘＢ０と、ベースバンド信号ＲｘＢ１とをＭＩＭＯ受信処理して、信号ＲｘＢを生成することができる。ベースバンドＩＣ６は、信号ＲｘＡと信号ＲｘＢとを統合して、ダウンリンクデータを生成することができる。
【０１５０】
以上の動作によって、キャリアアグリゲーション受信が可能となる。
上述の送信処理と受信処理は、同時に実行することができる。
【０１５１】
以上のように、第４の実施形態の無線端末は、第１〜第３の実施形態と同様に、キャリアアグリゲーション機能とＭＩＭＯ受信機能の両方を実行することができるとともに、第３の実施形態と同様に、アンテナの本数を第２の実施形態よりも１つだけ少なくすることができる。第３の実施形態の無線端末では、２つの帯域の送信信号が１つのクワッドプレクサで処理されて、１つのアンテナへ出力された。これに対して、第４の実施形態の無線端末では、２つの帯域の送信信号がそれぞれ別箇のクワッドプレクサで処理されて、別箇のアンテナへ出力される。これにより、第４の実施形態の無線端末は、第３の実施形態の無線端末よりも、送信波の干渉をより効果的に防止することができる。
【０１５２】
［第５の実施形態］
図１３は、第５の実施形態の無線端末１において送受信される無線信号の周波数帯域を表わす図である。送信信号の周波数帯域は、Ｂ３＿Ｔｘ（１７１０〜１７８５ＭＨｚ）と、Ｂ１＿Ｔｘ（１９２０〜１９８０ＭＨｚ）である。受信信号の周波数帯域は、Ｂ３＿Ｒｘ（１８０５〜１８８０ＭＨｚ）と、Ｂ１＿Ｒｘ（２１１０〜２１７０ＭＨｚ）である。無線端末１は、ＭＩＭＯ受信するために、受信時には、１つのアンテナを通じてＢ３＿Ｒｘの帯域の信号を受信し（Ｂ３＿Ｒｘ０と記す）、別のアンテナを通じてＢ３＿Ｒｘの帯域の信号を受信する（Ｂ３＿Ｒｘ１と記す）ことができるとともに、１つのアンテナを通じてＢ１＿Ｒｘの帯域の信号を受信し（Ｂ１＿Ｒｘ０と記す）、別のアンテナを通じてＢ１＿Ｒｘの帯域の信号を受信する（Ｂ１＿Ｒｘ１と記す）ことができる。
【０１５３】
Ｂ１＿ＴｘおよびＢ１＿Ｒｘは、ＬＴＥにおいて使用されるときのバンド名であり、一般的にＩＭＴ（(International  Mobile  Telecommunication）２１００と称される。Ｂ３＿ＴｘおよびＢ３＿Ｒｘは、ＬＴＥにおいて使用されるときのバンド名であり、ＤＣＳ（Digital  Cellular  Service）１８００と称される。
【０１５４】
図１４は、第５の実施形態のアンテナ部２および無線処理部３の構成を表わす図である。
【０１５５】
第５の実施形態のアンテナ部２は、第１のアンテナＡＮＴ１と、第２のアンテナＡＮＴ２とを備える。
【０１５６】
第１のアンテナＡＮＴ１は、１７１０ＭＨｚ〜２１７０ＭＨｚにおいて、所定値以下のＶＳＷＲ（Voltage  Standing  Wave  Ratio）を有する。第１のアンテナＡＮＴ１は、Ｂ１＿Ｔｘの信号を送信することができるとともに、Ｂ１＿Ｒｘ０およびＢ３＿Ｒｘ１の信号を受信することができる。
【０１５７】
第２のアンテナＡＮＴ２は、１７１０ＭＨｚ〜２１７０ＭＨｚにおいて、所定値以下のＶＳＷＲを有する。第２のアンテナＡＮＴ２は、Ｂ３＿Ｔｘの信号を送信することができるとともに、Ｂ３＿Ｒｘ０およびＢ１＿Ｒｘ１の信号を受信することができる。
【０１５８】
第５の実施形態の分波部４が第４の実施形態の分波部４と相違する点は以下である。
第５の実施形態の第１のクワッドプレクサ３２は、Ｂ２＿Ｔｘの信号の代わりにＢ１＿Ｔｘの信号を処理し、Ｂ２＿Ｒｘ０の信号の代わりにＢ１＿Ｒｘ０の信号を処理し、Ｂ４＿Ｒｘ１の信号の代わりにＢ３＿Ｒｘ１の信号を処理する。
【０１５９】
第５の実施形態の第２のクワッドプレクサ３３は、Ｂ４＿Ｔｘの信号の代わりにＢ３＿Ｔｘの信号を処理し、Ｂ４＿Ｒｘ０の信号の代わりにＢ３＿Ｒｘ０の信号を処理し、Ｂ２＿Ｒｘ１の信号の代わりにＢ１＿Ｒｘ１の信号を処理する。
【０１６０】
（送信処理）
ベースバンドＩＣ６は、アップリンクデータをベースバンド信号ＴｘＡとベースバンド信号ＴｘＢの２系統に分割して、ベースバンド信号ＴｘＡを第１のＲＦトランシーバＩＣ２１へ出力し、ベースバンド信号ＴｘＢを第２のＲＦトランシーバＩＣ２２へ出力することができる。
【０１６１】
第１のＲＦトランシーバＩＣ２１は、ベースバンド信号ＴｘＡを受けて、Ｂ１＿Ｔｘの帯域の信号に周波数変換することができる。第１のＲＦトランシーバＩＣ２１は、Ｂ１＿Ｔｘの帯域の信号を電力増幅器１１へ出力することができる。
【０１６２】
電力増幅器１１は、Ｂ１＿Ｔｘの帯域の信号の電力を増幅して、第１のクワッドプレクサ３２へ出力することができる。第１のクワッドプレクサ３２は、Ｂ１＿Ｔｘの帯域の信号を受信経路への回り込みを防止しつつ、第１のアンテナＡＮＴ１へ出力することができる。Ｂ１＿Ｔｘの帯域の信号の送信が可能な第１のアンテナＡＮＴ１は、Ｂ１＿Ｔｘの帯域の信号を無線基地局へ送信することができる。
【０１６３】
第２のＲＦトランシーバＩＣ２２は、ベースバンド信号ＴｘＢを受けて、Ｂ３＿Ｔｘの帯域の信号に周波数変換することができる。第２のＲＦトランシーバＩＣ２２は、Ｂ３＿Ｔｘの帯域の信号を電力増幅器１２へ出力することができる。
【０１６４】
電力増幅器１２は、Ｂ３＿Ｔｘの帯域の信号の電力を増幅して、第２のクワッドプレクサ３３へ出力することができる。第２のクワッドプレクサ３３は、Ｂ３＿Ｔｘの帯域の信号を受信経路への回り込みを防止しつつ、第２のアンテナＡＮＴ２へ出力することができる。Ｂ３＿Ｔｘの帯域の信号の送信が可能な第２のアンテナＡＮＴ２は、Ｂ３＿Ｔｘの帯域の信号を無線基地局へ送信することができる。
【０１６５】
以上のように、第１のアンテナＡＮＴ１と第２のアンテナＡＮＴ２によって、Ｂ１＿Ｔｘの帯域の信号とＢ３＿Ｔｘの帯域の信号が同時に送信されることができる。
【０１６６】
以上の動作によって、キャリアアグリゲーション送信が可能となる。
（受信処理）
Ｂ１＿Ｒｘの帯域およびＢ３＿Ｒの帯域の信号の受信が可能な第１のアンテナＡＮＴ１は、無線基地局からの信号を受信して、第１のクワッドプレクサ３２へ出力することができる。第１のクワッドプレクサ３２は、Ｂ１＿Ｒｘの帯域の信号（Ｂ１＿Ｒｘ０）を通過させて、第１のＲＦトランシーバＩＣ２１へ出力することができるとともに、Ｂ３＿Ｒｘの帯域の信号（Ｂ３＿Ｒｘ１）を通過させて、第２のＲＦトランシーバＩＣ２２へ出力することができる。
【０１６７】
Ｂ１＿Ｒｘの帯域およびＢ３＿Ｒｘの帯域の信号の受信が可能な第２のアンテナＡＮＴ２は、無線基地局からの信号を受信して、第２のクワッドプレクサ３３へ出力することができる。第２のクワッドプレクサ３３は、Ｂ１＿Ｒｘの帯域の信号（Ｂ１＿Ｒｘ１）を通過させて、第１のＲＦトランシーバＩＣ２１へ出力することができるとともに、Ｂ３＿Ｒｘの帯域の信号（Ｂ３＿Ｒｘ０）を通過させて、第２のＲＦトランシーバＩＣ２２へ出力することができる。
【０１６８】
第１のＲＦトランシーバＩＣ２１は、第１のクワッドプレクサ３２から出力されたＢ１＿Ｒｘの帯域の信号（Ｂ１＿Ｒｘ０）を周波数変換して得られるベースバンド信号ＲｘｘＡ０をベースバンドＩＣ６へ出力することができる。第１のＲＦトランシーバＩＣ２１は、第２のクワッドプレクサ３３から出力されたＢ１＿Ｒｘの帯域の信号（Ｂ１＿Ｒｘ１）を周波数変換して得られるベースバンド信号ＲｘＡ１をベースバンドＩＣ６へ出力することができる。
【０１６９】
第２のＲＦトランシーバＩＣ２２は、第１のクワッドプレクサ３２から出力されたＢ３＿Ｒｘの帯域の信号（Ｂ３＿Ｒｘ１）を周波数変換して得られるベースバンド信号ＲｘＢ０をベースバンドＩＣ６へ出力することができる。第２のＲＦトランシーバＩＣ２２は、第２のクワッドプレクサ３３から出力されたＢ３＿Ｒｘの帯域の信号（Ｂ３＿Ｒｘ０）を周波数変換して得られるベースバンド信号ＲｘＢ１をベースバンドＩＣ６へ出力することができる。
【０１７０】
ベースバンドＩＣ６は、第１のＲＦトランシーバＩＣ２１から送られてくるベースバンド信号ＲｘＡ０と、ベースバンド信号ＲｘＡ１とをＭＩＭＯ受信処理して、信号ＲｘＡを生成することができる。ベースバンドＩＣ６は、第２のＲＦトランシーバＩＣ２２から送られてくるベースバンド信号ＲｘＢ０と、ベースバンド信号ＲｘＢ１とをＭＩＭＯ受信処理して、信号ＲｘＢを生成することができる。ベースバンドＩＣは、信号ＲｘＡと信号ＲｘＢとを統合して、ダウンリンクデータを生成することができる。
【０１７１】
以上の動作によって、キャリアアグリゲーション受信が可能となる。
上述の送信処理と受信処理は、同時に実行することができる。
【０１７２】
以上のように、第５の実施形態の無線端末は、第４の実施形態の無線端末で使用する帯域Ｂ２およびＢ４に代えて、帯域Ｂ１とＢ３を使用することによって、第４の実施形態と同様の効果が得られる。
【０１７３】
［第６の実施形態］
図１５は、第６の実施形態の無線端末１において送受信される無線信号の周波数帯域を表わす図である。送信信号の周波数帯域は、Ｂ４＿Ｔｘ（１７１０〜１７５５ＭＨｚ）と、ＢＣ１＿Ｔｘ（１８５０〜１９１０ＭＨｚ）である。受信信号の周波数帯域は、ＢＣ１＿Ｒｘ（１９３０〜１９９０ＭＨｚ）と、Ｂ４＿Ｒｘ（２１１０〜２１５５ＭＨｚ）である。無線端末１は、ＭＩＭＯ受信するために、受信時には、１つのアンテナを通じてＢＣ１＿Ｒｘの帯域の信号を受信し（ＢＣ１＿Ｒｘ０と記す）、別のアンテナを通じてＢＣ１＿Ｒｘの帯域の信号を受信する（ＢＣ１＿Ｒｘ１と記す）ことができるとともに、１つのアンテナを通じてＢ４＿Ｒｘの帯域の信号を受信し（Ｂ４＿Ｒｘ０と記す）、別のアンテナを通じてＢ４＿Ｒｘの帯域の信号を受信する（Ｂ４＿Ｒｘ１と記す）ことができる。
【０１７４】
ＢＣ１＿ＴｘおよびＢＣ１＿Ｒｘは、ＣＤＭＡにおいて使用されるときのバンド名であり、一般的にＰＣＳ１９００と称される。
【０１７５】
図１６は、第６の実施形態のアンテナ部２および無線処理部３の構成を表わす図である。
【０１７６】
ベースバンドＩＣ（ベースバンド処理部）２０６は、第２のＲＦトランシーバＩＣ２２へ出力するデータおよび第２のＲＦトランシーバＩＣ２２から出力されるデータに対して、ＬＴＥ用のベースバンド処理を実行するとともに、第１のＲＦトランシーバＩＣ２１へ出力する音声データおよび第１のＲＦトランシーバＩＣ２１から出力される音声データに対してＣＤＭＡ用のベースバンド処理を実行する。
【０１７７】
具体的には、ベースバンドＩＣ２０６は、アップリンクの音声データに対して、誤り訂正符号化、データ変調、および拡散変調などの処理を行なう。ベースバンドＩＣ２０６は、ダウンリンクの音声データに対して、同期処理、逆拡散、およびデータ復調などの処理を行なう。ベースバンドＩＣ２０６は、ＣＤＭＡ方式に対応する系統の信号に関しては、ダイバーシティ受信処理のうちの最大比合成タイバーシティ処理を実行することができる。
【０１７８】
第６の実施形態のアンテナ部２は、第４の実施形態で説明したものと同様である。第６の実施形態の無線処理部３は、第４の実施形態で説明したものと同様である。なぜなら、ＢＣ１＿Ｔｘは、Ｂ２＿Ｔｘと同じ帯域だからである。
【０１７９】
第６の実施形態の分波部４は、第４の実施形態で説明したものと同様である。第１のクワッドプレクサ３２は、第４の実施形態の第１のクワッドプレクサ３２と同様である。第２のクワッドプレクサ３３は、第４の実施形態の第２のクワッドプレクサ３３と同様である。なぜなら、ＢＣ１＿Ｔｘは、Ｂ２＿Ｔｘと同じ帯域だからである。
【０１８０】
（送信処理）
ベースバンドＩＣ２０６は、アップリンクの音声データからＣＤＭＡ規格に従ってベースバンド信号ＴｘＡを生成し、アップリンクのデータからＬＴＥ規格に従ってベースバンド信号ＴｘＢを生成し、ベースバンド信号ＴｘＡを第１のＲＦトランシーバＩＣ２１へ出力し、ベースバンド信号ＴｘＢを第２のＲＦトランシーバＩＣ２２へ出力することができる。
【０１８１】
第１のＲＦトランシーバＩＣ２１は、ベースバンド信号ＴｘＡを受けて、ＢＣ１＿Ｔｘの帯域の信号に周波数変換することができる。第１のＲＦトランシーバＩＣ２１は、ＢＣ１＿Ｔｘの帯域の信号を電力増幅器１１へ出力することができる。
【０１８２】
電力増幅器１１は、ＢＣ１＿Ｔｘの帯域の信号の電力を増幅して第１のクワッドプレクサ３２へ出力することができる。第１のクワッドプレクサ３２は、ＢＣ１＿Ｔｘの帯域の信号を受信経路への回り込みを防止しつつ、第１のアンテナＡＮＴ１へ出力することができる。ＢＣ１＿Ｔｘの帯域の信号の送信が可能な第１のアンテナＡＮＴ１は、ＢＣ１＿Ｔｘの帯域の信号を無線基地局へ送信することができる。
【０１８３】
第２のＲＦトランシーバＩＣ２２は、ベースバンド信号ＴｘＢを受けて、Ｂ４＿Ｔｘの帯域の信号に周波数変換することができる。第２のＲＦトランシーバＩＣ２２は、Ｂ４＿Ｔｘの帯域の信号を電力増幅器１２へ出力することができる。
【０１８４】
電力増幅器１２は、Ｂ４＿Ｔｘの帯域の信号の電力を増幅して、第２のクワッドプレクサ３３へ出力することができる。第２のクワッドプレクサ３３は、Ｂ４＿Ｔｘの帯域の信号を受信経路への回り込みを防止しつつ、第２のアンテナＡＮＴ２へ出力することができる。Ｂ４＿Ｔｘの帯域の信号の送信が可能な第２のアンテナＡＮＴ２は、Ｂ４＿Ｔｘの帯域の信号を無線基地局へ送信することができる。
【０１８５】
以上のように、第１のアンテナＡＮＴ１と第２のアンテナＡＮＴ２によって、ＢＣ１＿Ｔｘの帯域の信号とＢ４＿Ｔｘの帯域の信号が同時に送信されることができる。
【０１８６】
以上の動作によって、ＣＤＭＡ方式の音声送信とＬＴＥ方式のデータ送信との同時実行が可能となる。
【０１８７】
（受信処理）
ＢＣ１＿Ｒｘの帯域およびＢ４＿Ｒの帯域の信号の受信が可能な第１のアンテナＡＮＴ１は、無線基地局からの信号を受信して、第１のクワッドプレクサ３２へ出力することができる。第１のクワッドプレクサ３２は、ＢＣ１＿Ｒｘの帯域の信号（ＢＣ１＿Ｒｘ０）を通過させて、第１のＲＦトランシーバＩＣ２１へ出力することができるとともに、Ｂ４＿Ｒｘの帯域の信号（Ｂ４＿Ｒｘ１）を通過させて、第２のＲＦトランシーバＩＣ２２へ出力することができる。
【０１８８】
ＢＣ１＿Ｒｘの帯域およびＢ４＿Ｒｘの帯域の信号の受信が可能な第２のアンテナＡＮＴ２は、無線基地局からの信号を受信して、第２のクワッドプレクサ３３へ出力することができる。第２のクワッドプレクサ３３は、ＢＣ１＿Ｒｘの帯域の信号（ＢＣ１＿Ｒｘ１）を通過させて、第１のＲＦトランシーバＩＣ２１へ出力することができるとともに、Ｂ４＿Ｒｘの帯域の信号（Ｂ４＿Ｒｘ０）を通過させて、第２のＲＦトランシーバＩＣ２２へ出力することができる。
【０１８９】
第１のＲＦトランシーバＩＣ２１は、第１のクワッドプレクサ３２から出力されたＢＣ１＿Ｒｘの帯域の信号（ＢＣ１＿Ｒｘ０）を周波数変換して得られるベースバンド信号ＲｘＡ０をベースバンドＩＣ６へ出力することができる。第１のＲＦトランシーバＩＣ２１は、第２のクワッドプレクサ３３から出力されたＢＣ１＿Ｒｘの帯域の信号（ＢＣ１＿Ｒｘ１）を周波数変換して得られるベースバンド信号ＲｘＡ１をベースバンドＩＣ２０６へ出力することができる。
【０１９０】
第２のＲＦトランシーバＩＣ２２は、第１のクワッドプレクサ３２から出力されたＢ４＿Ｒｘの帯域の信号（Ｂ４＿Ｒｘ１）を周波数変換して得られるベースバンド信号ＲｘＢ０をベースバンドＩＣ６へ出力することができる。第２のＲＦトランシーバＩＣ２２は、第２のクワッドプレクサ３３から出力されたＢ４＿Ｒｘの帯域の信号（Ｂ４＿Ｒｘ０）を周波数変換して得られるベースバンド信号ＲｘＢ１をベースバンドＩＣ２０６へ出力することができる。
【０１９１】
ベースバンドＩＣ２０６は、第１のＲＦトランシーバＩＣ２１から送られてくるベースバンド信号ＲｘＡ０と、ベースバンド信号ＲｘＡ１とを最大比合成ダイバーシティ受信処理して、信号ＲｘＡを生成することができる。ベースバンドＩＣ２０６は、信号ＲｘＡからＣＤＭＡ規格に従って音声データを生成することができる。ベースバンドＩＣ２０６は、第２のＲＦトランシーバＩＣ２２から送られてくるベースバンド信号ＲｘＢ０と、ベースバンド信号ＲｘＢ１とをＭＩＭＯ受信処理して、信号ＲｘＢを生成することができる。ベースバンドＩＣ２０６は、信号ＲｘＢからＬＴＥ規格に従って、データを生成することができる。
【０１９２】
以上の動作によって、ＣＤＭＡ方式の音声受信とＬＴＥ方式のデータ受信との同時実行が可能となる。
【０１９３】
上述の送信処理と受信処理は、同時に実行することができる。
以上のように、第６の実施形態の無線端末は、ＣＤＭＡ方式とＬＴＥ方式の同時通信機能とＭＩＭＯ受信機能の両方を実行することができるとともに、アンテナの本数を第２の実施形態よりも１つだけ少なくすることができる。
【０１９４】
［第７の実施形態］
図１７は、第７の実施形態の無線端末１において送受信される無線信号の周波数帯域を表わす図である。送信信号の周波数帯域は、Ｂ４＿Ｔｘ（１７１０〜１７５５ＭＨｚ）と、Ｂ２＿Ｔｘ（１８５０〜１９１０ＭＨｚ）と、Ｂ１２＿Ｔｘ（７２９ＭＨｚ〜７４６ＭＨｚ）である。受信信号の周波数帯域は、Ｂ２＿Ｒｘ（１９３０〜１９９０ＭＨｚ）と、Ｂ４＿Ｒｘ（２１１０〜２１５５ＭＨｚ）と、Ｂ１２＿Ｒｘ（６９９ＭＨｚ〜７１６ＭＨｚ）である。無線端末１は、ＭＩＭＯ受信するために、受信時には、１つのアンテナを通じてＢ２＿Ｒｘの帯域の信号を受信し（Ｂ２＿Ｒｘ０と記す）、別のアンテナを通じてＢ２＿Ｒｘの帯域の信号を受信する（Ｂ２＿Ｒｘ１と記す）ことができるとともに、１つのアンテナを通じてＢ４＿Ｒｘの帯域の信号を受信し（Ｂ４＿Ｒｘ０と記す）、別のアンテナを通じてＢ４＿Ｒｘの帯域の信号を受信する（Ｂ４＿Ｒｘ１と記す）ことができ、さらに１つのアンテナを通じてＢ１２＿Ｒｘの帯域の信号を受信し（Ｂ１２＿Ｒｘ０と記す）、別のアンテナを通じてＢ１２＿Ｒｘの帯域の信号を受信する（Ｂ１２＿Ｒｘ１と記す）ことができる。
【０１９５】
Ｂ１２＿ＴｘおよびＢ１２＿Ｒｘは、ＬＴＥにおいて使用されるときのバンド名であり、一般的にＳＭＨ７００と称される。
【０１９６】
図１８は、第７の実施形態のアンテナ部２および無線処理部３の構成を表わす図である。
【０１９７】
ベースバンドＩＣ（ベースバンド処理部）３０６は、ＬＴＥ用のベースバンド処理を実行する。
【０１９８】
ベースバンドＩＣ３０６は、キャリアアグリゲーション送信処理として、ダウンリンクデータをラウンドロビン方式などの所定の規則に従って、第１のＲＦトランシーバＩＣ２１用と、第２のＲＦトランシーバＩＣ２２用と、第３のＲＦトランシーバＩＣ２３用の３系統に分割することができる。ベースバンドＩＣ３０６は、分割されたデータに対して、ダウンリンクデータ用のベースバンド処理を実行することができる。
【０１９９】
ベースバンドＩＣ３０６は、キャリアアグリゲーション受信処理として、第１のＲＦトランシーバＩＣ２１から出力されるデータ、第２のＲＦトランシーバＩＣ２２から出力されるデータ、および第３のＲＦトランシーバＩＣ２３から出力されるデータに対してそれぞれアップリンクデータ用のベースバンド処理を実行することによって、無線基地局において送信時に分割されたデータを得ることができる。ベースバンドＩＣ３０６は、得られた分割されたデータを統合して元のデータを再生することができる。
【０２００】
ベースバンドＩＣ３０６は、同一の周波数帯域であり、かつ２つのアンテナで受信されたダウンリンクデータに対してＭＩＭＯ受信処理を実行する。ベースバンドＩＣ３０６は、無線基地局が空間多重化した信号を送信する場合には、空間多重化された信号を分離する処理を行なうことができ、無線基地局が時空間符号化した信号を送信する場合には、時間符号化された信号を復号化する処理を行なうことができる。
【０２０１】
アンテナ部２は、第１のアンテナＡＮＴ１と、第２のアンテナＡＮＴ２と、第３のアンテナＡＮＴ３と、第４のアンテナＡＮＴ４とを備える。
【０２０２】
第１のアンテナＡＮＴ１と第２のアンテナＡＮＴ２は、第４の実施形態で説明したものと同様なので説明を繰り返さない。
【０２０３】
第３のアンテナＡＮＴ３は、６９９ＭＨｚ〜７４６ＭＨｚにおいて、所定値以下のＶＳＷＲを有する。第３のアンテナＡＮＴ３は、Ｂ１２＿Ｔｘの信号を送信することができると同時に、Ｂ１２＿Ｒｘの信号を受信することができる。
【０２０４】
第４のアンテナＡＮＴ４は、６９９ＭＨｚ〜７１６ＭＨｚにおいて、所定値以下のＶＳＷＲを有する。第４のアンテナＡＮＴ４は、Ｂ１２＿Ｒｘの信号を受信することができる。
【０２０５】
分波部１０４は、第４の実施形態と同様に、第１のクワッドプレクサ３２と、第２のクワッドプレクサ３３と、電力増幅器１１と、電力増幅器１２に加えて、電力増幅器２４と、Ｂ１２−デュプレクサ（第３のマルチプレクサ）２５と、Ｂ１２＿Ｒｘフィルタ（フィルタ）２６とを備える。
【０２０６】
電力増幅器２４は、第３のＲＦトランシーバＩＣ２３から出力されるＢ１２＿Ｔｘの信号の電力を増幅して、Ｂ１２−デュプレクサ２５へ出力することができる。
【０２０７】
Ｂ１２−デュプレクサ２５は、第３のアンテナＡＮＴ３から出力される信号からＢ１２＿Ｒｘの帯域成分を抽出して、第３のＲＦトランシーバＩＣ２３へ出力する。Ｂ１２−デュプレクサ２５は、Ｂ１２＿Ｔｘの信号を第３のアンテナＡＮＴ３へ出力することができる。
【０２０８】
Ｂ１２＿Ｒｘフィルタ２６は、第４のアンテナＡＮＴ４から出力される信号のＢ１２＿Ｒｘの帯域の成分を通過させて、Ｂ１２＿Ｒｘ１の信号を第３のＲＦトランシーバＩＣ２３へ出力することができる。
【０２０９】
第３のＲＦトランシーバＩＣ２３は、ベースバンド信号を周波数変換してＢ１２＿Ｔｘの帯域の信号を出力することができる。第３のＲＦトランシーバＩＣ２３は、Ｂ１２＿Ｒｘの帯域の２つの信号（Ｂ１２＿Ｒｘ０とＢ１２＿Ｒｘ１）を周波数変換してベースバンド信号に変換するとともに、さらにＭＩＭＯ受信処理することができる。
【０２１０】
（送信処理）
ベースバンドＩＣ３０６は、アップリンクデータをベースバンド信号ＴｘＡとベースバンド信号ＴｘＢとベースバンド信号ＴｘＣの２系統に分割して、ベースバンド信号ＴｘＡを第１のＲＦトランシーバＩＣ２１へ出力し、ベースバンド信号ＴｘＢを第２のＲＦトランシーバＩＣ２２へ出力し、ベースバンド信号ＴｘＣを第３のＲＦトランシーバＩＣ２３へ出力することができる。
【０２１１】
第１のＲＦトランシーバＩＣ２１は、ベースバンド信号ＴｘＡを受けて、Ｂ２＿Ｔｘの帯域の信号に周波数変換することができる。第１のＲＦトランシーバＩＣ２１は、Ｂ２＿Ｔｘの帯域の信号を電力増幅器１１へ出力することができる。
【０２１２】
電力増幅器１１は、Ｂ２＿Ｔｘの帯域の信号の電力を増幅して、第１のクワッドプレクサ３２へ出力することができる。第１のクワッドプレクサ３２は、Ｂ２＿Ｔｘの帯域の信号を受信経路への回り込みを防止しつつ、第１のアンテナＡＮＴ１へ出力することができる。Ｂ２＿Ｔｘの帯域の信号の送信が可能な第１のアンテナＡＮＴ１は、Ｂ２＿Ｔｘの帯域の信号を無線基地局へ送信することができる。
【０２１３】
第２のＲＦトランシーバＩＣ２２は、ベースバンド信号ＴｘＢを受けて、Ｂ４＿Ｔｘの帯域の信号に周波数変換することができる。第２のＲＦトランシーバＩＣ２２は、Ｂ４＿Ｔｘの帯域の信号を電力増幅器１２へ出力することができる。
【０２１４】
電力増幅器１２は、Ｂ４＿Ｔｘの帯域の信号の電力を増幅して、第２のクワッドプレクサ３３へ出力することができる。第２のクワッドプレクサ３３は、Ｂ４＿Ｔｘの帯域の信号を受信経路への回り込みを防止しつつ、第２のアンテナＡＮＴ２へ出力することができる。Ｂ４＿Ｔｘの帯域の信号の送信が可能な第２のアンテナＡＮＴ２は、Ｂ４＿Ｔｘの帯域の信号を無線基地局へ送信することができる。
【０２１５】
第３のＲＦトランシーバＩＣ２３は、ベースバンド信号ＴｘＣを受けて、Ｂ１２＿Ｔｘの帯域の信号に周波数変換することができる。第３のＲＦトランシーバＩＣ２３は、Ｂ１２＿Ｔｘの帯域の信号を電力増幅器２４へ出力することができる。
【０２１６】
電力増幅器２４は、Ｂ１２＿Ｔｘの帯域の信号の電力を増幅してＢ１２−デュプレクサ２５へ出力することができる。Ｂ１２−デュプレクサ２５は、Ｂ１２＿Ｔｘの帯域の信号を受信経路への回り込みを防止しつつ、第３のアンテナＡＮＴ３へ出力することができる。Ｂ１２＿Ｔｘの帯域の信号の送信が可能な第３のアンテナＡＮＴ３は、Ｂ１２＿Ｔｘの帯域の信号を無線基地局へ送信することができる。
【０２１７】
以上のように、第１のアンテナＡＮＴ１と第２のアンテナＡＮＴ２と第３のアンテナＡＮＴ３によって、Ｂ２＿Ｔｘの帯域の信号とＢ４＿Ｔｘの帯域の信号とＢ１２＿Ｔｘの帯域の信号が同時に送信されることができる。
【０２１８】
以上の動作によって、キャリアアグリゲーション送信が可能となる。
（受信処理）
Ｂ２＿Ｒｘの帯域およびＢ４＿Ｒの帯域の信号の受信が可能な第１のアンテナＡＮＴ１は、無線基地局からの信号を受信して、第１のクワッドプレクサ３２へ出力することができる。第１のクワッドプレクサ３２は、Ｂ２＿Ｒｘの帯域の信号（Ｂ２＿Ｒｘ０）を通過させて、第１のＲＦトランシーバＩＣ２１へ出力することができるとともに、Ｂ４＿Ｒｘの帯域の信号（Ｂ４＿Ｒｘ１）を通過させて、第２のＲＦトランシーバＩＣ２２へ出力することができる。
【０２１９】
Ｂ２＿Ｒｘの帯域およびＢ４＿Ｒｘの帯域の信号の受信が可能な第２のアンテナＡＮＴ２は、無線基地局からの信号を受信して、第２のクワッドプレクサ３３へ出力することができる。第２のクワッドプレクサ３３は、Ｂ２＿Ｒｘの帯域の信号（Ｂ２＿Ｒｘ１）を通過させて、第１のＲＦトランシーバＩＣ２１へ出力することができるとともに、Ｂ４＿Ｒｘの帯域の信号（Ｂ４＿Ｒｘ０）を通過させて、第２のＲＦトランシーバＩＣ２２へ出力することができる。
【０２２０】
第１のＲＦトランシーバＩＣ２１は、第１のクワッドプレクサ３２から出力されたＢ２＿Ｒｘの帯域の信号（Ｂ２＿Ｒｘ０）を周波数変換して得られるベースバンド信号Ｒｘ０をベースバンドＩＣ３０６へ出力することができる。ベースバンドＩＣ３０６は、第２のクワッドプレクサ３３から出力されたＢ２＿Ｒｘの帯域の信号（Ｂ２＿Ｒｘ１）を周波変換して得られるベースバンド信号ＲｘＡ１をベースバンドＩＣ３０６へ出力することができる。
【０２２１】
第２のＲＦトランシーバＩＣ２２は、第１のクワッドプレクサ３２から出力されたＢ４＿Ｒｘの帯域の信号（Ｂ４＿Ｒｘ１）を周波数変換して得られるベースバンド信号ＲｘＢ０をベースバンドＩＣ３０６へ出力することができる。ベースバンドＩＣ３０６は、第２のクワッドプレクサ３３から出力されたＢ４＿Ｒｘの帯域の信号（Ｂ４＿Ｒｘ０）をベースバンド信号ＲｘＢ１をベースバンドＩＣ３０６へ出力することができる。
【０２２２】
Ｂ１２＿Ｒｘの帯域の信号の受信が可能な第３のアンテナＡＮＴ３は、無線基地局からの信号を受信して、Ｂ１２＿Ｒｘフィルタ２５へ出力することができる。Ｂ１２＿Ｒｘフィルタ２５は、Ｂ１２＿Ｒｘの帯域の信号（Ｂ１２＿Ｒｘ０）を通過させて、第３のＲＦトランシーバＩＣ２３へ出力することができる。
【０２２３】
Ｂ１２＿Ｒｘの帯域の信号の受信が可能な第４のアンテナＡＮＴ４は、無線基地局からの信号を受信して、Ｂ１２＿Ｒｘフィルタ２６へ出力することができる。Ｂ１２＿Ｒｘフィルタ２６は、Ｂ１２＿Ｒｘの帯域の信号（Ｂ１２＿Ｒｘ１）を通過させて、第３のＲＦトランシーバＩＣ２３へ出力することができる。
【０２２４】
第３のＲＦトランシーバＩＣ２３は、Ｂ１２−デュプレクサ２５から出力されたＢ１２＿Ｒｘの帯域の信号（Ｂ１２＿Ｒｘ０）を周波数変換して得られるベースバンド信号ＲｘＣ０をベースバンドＩＣ３０６へ出力することができる。第３のＲＦトランシーバＩＣ２３は、Ｂ１２＿Ｒｘフィルタ２６から出力されたＢ１２＿Ｒｘの帯域の信号（Ｂ１２＿Ｒｘ１）を周波数変換して得られるベースバンド信号ＲｘＣ１をベースバンドＩＣ３０６へ出力することができる。
【０２２５】
ベースバンドＩＣ３０６は、第１のＲＦトランシーバＩＣ２１から送られてくるベースバンド信号ＲｘＡ０と、ベースバンド信号ＲｘＡ１とをＭＩＭＯ受信処理して、信号ＲｘＡを生成することができる。ベースバンドＩＣ３０６は、第２のＲＦトランシーバＩＣ２２から送られてくるベースバンド信号ＲｘＢ０と、ベースバンド信号ＲｘＢ１とをＭＩＭＯ受信処理して、信号ＲｘＢを生成することができる。ベースバンドＩＣ３０６は、第３のＲＦトランシーバＩＣ２３から送られてくるベースバンド信号ＲｘＣ０と、ベースバンド信号ＲｘＣ１とをＭＩＭＯ受信処理して、信号ＲｘＣを生成することができる。ベースバンドＩＣ３０６は、信号ＲｘＡと信号ＲｘＢと信号ＲｘＣとを統合して、ダウンリンクデータを生成することができる。
【０２２６】
以上の動作によって、キャリアアグリゲーション受信が可能となる。
上述の送信処理と受信処理は、同時に実行することができる。
【０２２７】
以上のように、第７の実施形態によれば、第４の実施形態と同様の効果を有する。さらに、第７の実施形態によれば、送信および受信するバンドの数がそれぞれ３つとなるので、送信および受信のスループットを第４の実施形態よりも増加させることができる。
【０２２８】
（変形例）
本開示は、上記の実施形態に限定されるものではない。以下の変形例も本開示に含まれる。
【０２２９】
（１）上記の実施の形態では、無線処理部は、２つまたは３つのＩＣによって構成されるものとしたが、これに限定するものではない。これらの複数のＩＣの機能を１つのＩＣが実装するものとしてもよい。
【０２３０】
（２）第７の実施形態の無線端末は、第４の実施形態の無線端末を３つのバンドの送受信ができるように拡張したものであるが、同様にして、第１〜第３の実施形態の無線端末を３つのバンドの送受信ができるように拡張することができる。第７の実施形態の無線端末は、３つのバンドに対してキャリアアグリゲーションを実行したが、これに限定するものではない。無線端末は、２つのバンドに対してキャリアアグリゲーションを実行し、残りの１つのバンドを用いて独立したデータを送受信するものとしてもよい。
【０２３１】
（３）第３〜第７の実施形態では、１つの送信フィルタの入力が終端されたクワッドプレクサを用いたが、これに限定するものではない。たとえば、終端されるフィルタを有さないトリプレクサを用いてもよい。
【０２３２】
今回開示された実施の形態はすべての点で例示であって制限的なものではないと考えられるべきである。本開示の範囲は上記した説明ではなくて請求の範囲によって示され、請求の範囲と均等の意味および範囲内でのすべての変更が含まれることが意図される。
【符号の説明】
【０２３３】
１  無線端末、ＡＮＴ１  第１のアンテナ、ＡＮＴ２  第２のアンテナ、ＡＮＴ３  第３のアンテナ、ＡＮＴ４  第４のアンテナ、５，１０５  無線周波数トランシーバ、６，２０６，３０６  ベースバンド処理部、３２  第１のマルチプレクサ、３３  第２のマルチプレクサ、Ｔ３１，Ｔ４１  第１の端子、Ｔ３２，Ｔ４２  第２の端子、Ｔ３３，Ｔ４３  第３の端子、Ｔ３４，Ｔ４４  第４の端子、Ｔ３５，Ｔ４５  第５の端子、４２，６２  第１の送信フィルタ、４３，６３  第１の受信フィルタ、４４，６４  第２の送信フィルタ、４５，６５  第２の受信フィルタ、４７，４８  終端抵抗、２１  第１のＲＦトランシーバＩＣ、２２  第２のＲＦトランシーバＩＣ、２５  第３のマルチプレクサ、２６  フィルタ。
【図１】
2016170950.tif 000003
【図２】
2016170950.tif 000004
【図３】
2016170950.tif 000005
【図４】
2016170950.tif 000006
【図５】
2016170950.tif 000007
【図６】
2016170950.tif 000008
【図７】
2016170950.tif 000009
【図８】
2016170950.tif 000010
【図９】
2016170950.tif 000011
【図１０】
2016170950.tif 000012
【図１１】
2016170950.tif 000013
【図１２】
2016170950.tif 000014
【図１３】
2016170950.tif 000015
【図１４】
2016170950.tif 000016
【図１５】
2016170950.tif 000017
【図１６】
2016170950.tif 000018
【図１７】
2016170950.tif 000019
【図１８】
2016170950.tif 000020
【国際調査報告】
2016170950.tif 000021
2016170950.tif 000022